(57)【特許請求の範囲】
【請求項１】
染料として、下記式（Ｂｋ−１）で表される染料（Ｂｋ−１）と、下記式（Ｂｗ−１）で表される染料（Ｂｗ−１）と、下記式（Ｙ−１）で表される染料（Ｙ−１）と、下記式（Ｙ−２）で表される染料（Ｙ−２）と、を含み、
前記染料（Ｂｋ−１）と、前記染料（Ｂｗ−１）との含有量比率Ａ（前記染料（Ｂｋ−１）：前記染料（Ｂｗ−１））が、１００：１８〜１００：４０であって、
前記染料の総含有量が３．５質量％超過であり、
前記染料（Ｂｋ−１）と、前記染料（Ｂｗ−１）と、前記染料（Ｙ−１）と、前記染料（Ｙ−２）との含有量比率Ｂ（前記染料（Ｂｋ−１）：前記染料（Ｂｗ−１）：前記染料（Ｙ−１）：前記染料（Ｙ−２））が、１００：２０：５：５〜１００：４０：１２：１２である、
インク組成物。
【化１】
0006388253.tif 000045
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化２】
0006388253.tif 000046
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、
Ｘは、２価の架橋基を表す。）
【化３】
0006388253.tif 000047
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化４】
0006388253.tif 000048
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
【請求項２】
染料として、下記式（Ｂｋ−１）で表される染料（Ｂｋ−１）と、下記式（Ｂｗ−１）
で表される染料（Ｂｗ−１）と、下記式（Ｙ−１）で表される染料（Ｙ−１）と、下記式（Ｙ−２）で表される染料（Ｙ−２）と、を含み、
前記染料（Ｂｋ−１）と、前記染料（Ｂｗ−１）との含有量比率Ａ（前記染料（Ｂｋ−
１）：前記染料（Ｂｗ−１））が、１００：１８〜１００：４０であって、
前記染料の総含有量が０．５０〜１．５質量％であり、
前記染料（Ｂｋ−１）と、前記染料（Ｂｗ−１）と、前記染料（Ｙ−１）と、前記染料（Ｙ−２）との含有量比率Ｂ（前記染料（Ｂｋ−１）：前記染料（Ｂｗ−１）：前記染料（Ｙ−１）：前記染料（Ｙ−２））が、１００：２０：５：５〜１００：４０：１２：１２である、
インク組成物。
【化５】
0006388253.tif 000049
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化６】
0006388253.tif 000050
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、
Ｘは、２価の架橋基を表す。）
【化７】
0006388253.tif 000051
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化８】
0006388253.tif 000052
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
【請求項３】
前記染料の総含有量が、４．７〜６．５質量％である、請求項１に記載のインク組成物
。
【請求項４】
前記染料の総含有量が、０．６０〜１．４質量％である、請求項２に記載のインク組成
物。
【請求項５】
主鎖の炭素数が１２以上であるアセチレングリコールのアルキレンオキサイド付加物と
、
界面活性剤であるポリオキシアルキレンアルキルエーテルと、を含む、
請求項１〜４のいずれか１項に記載のインク組成物。
【請求項６】
溶剤であるトリエチレングリコールモノブチルエーテルを含み、
該トリエチレングリコールモノブチルエーテルの含有量が、３．０〜１０質量％である
、
請求項１〜５のいずれか１項に記載のインク組成物。
【請求項７】
請求項１〜６のいずれか１項に記載のインク組成物を備える、
インクセット。
【発明の詳細な説明】
【技術分野】
【０００１】
本発明は、インク組成物及びインクセットに関する。
【背景技術】
【０００２】
インクジェット記録方法は、比較的単純な装置で、高精細な画像の記録が可能であり、各方面で急速な発展を遂げている。その中で、得られる記録物の画像等について種々の検討がなされている。例えば、特許文献１には、耐光性及び耐オゾン性に優れ、長期間にわたって高品質な画像を保つことができる印刷物を作成することが可能であり、しかも、ブラックインクとして優れた色相を有する黒色水性インク組成物、さらに、十分な発色濃度の確保と普通紙に対しても優れた色相を有し、目詰まりが少なくインクとしての保存安定性にも優れた黒色水性インク組成物を提供することを目的として、水と、水溶性有機溶剤と、所定の色材及びその塩からなる群から選ばれる少なくとも一種の黒色染料と、補色染料として少なくともＣ．Ｉ．ダイレクトレッド２２５とを含んでなる黒色水性インク組成物が開示されている。
【先行技術文献】
【特許文献】
【０００３】
【特許文献１】特開２００６−１７６５８５号公報
【発明の概要】
【発明が解決しようとする課題】
【０００４】
しかしながら、近年、得られる記録物の色相及び発色濃度のより一層の向上が望まれている。
【０００５】
本発明は、上述の課題の少なくとも一部を解決するためになされたものであり、色相及び発色濃度に優れたインク組成物及びインクセットを提供することを目的とする。
【課題を解決するための手段】
【０００６】
本発明者らは、上記課題を解決するために鋭意検討した。その結果、所定の染料を含むインク組成物を用いることにより上記課題を解決できることを見出して、本発明を完成させた。
【０００７】
すなわち、本発明は以下のとおりである。
〔１〕
染料として、下記式（Ｂｋ−１）で表される染料（Ｂｋ−１）と、下記式（Ｂｗ−１）
で表される染料（Ｂｗ−１）と、下記式（Ｙ−１）で表される染料（Ｙ−１）と、下記式（Ｙ−２）で表される染料（Ｙ−２）と、を含み、
前記染料（Ｂｋ−１）と、前記染料（Ｂｗ−１）との含有量比率Ａ（前記染料（Ｂｋ−
１）：前記染料（Ｂｗ−１））が、１００：１８〜１００：４０であって、
前記染料の総含有量が３．５質量％超過であり、
前記染料（Ｂｋ−１）と、前記染料（Ｂｗ−１）と、前記染料（Ｙ−１）と、前記染料（Ｙ−２）との含有量比率Ｂ（前記染料（Ｂｋ−１）：前記染料（Ｂｗ−１）：前記染料（Ｙ−１）：前記染料（Ｙ−２））が、１００：２０：５：５〜１００：４０：１２：１２である、
インク組成物。
【化１】
0006388253.tif 000002
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化２】
0006388253.tif 000003
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、
Ｘは、２価の架橋基を表す。）
【化３】
0006388253.tif 000004
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化４】
0006388253.tif 000005
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
〔２〕
染料として、下記式（Ｂｋ−１）で表される染料（Ｂｋ−１）と、下記式（Ｂｗ−１）
で表される染料（Ｂｗ−１）と、下記式（Ｙ−１）で表される染料（Ｙ−１）と、下記式（Ｙ−２）で表される染料（Ｙ−２）と、を含み、
前記染料（Ｂｋ−１）と、前記染料（Ｂｗ−１）との含有量比率Ａ（前記染料（Ｂｋ−
１）：前記染料（Ｂｗ−１））が、１００：１８〜１００：４０であって、
前記染料の総含有量が０．５０〜１．５質量％であり、
前記染料（Ｂｋ−１）と、前記染料（Ｂｗ−１）と、前記染料（Ｙ−１）と、前記染料（Ｙ−２）との含有量比率Ｂ（前記染料（Ｂｋ−１）：前記染料（Ｂｗ−１）：前記染料（Ｙ−１）：前記染料（Ｙ−２））が、１００：２０：５：５〜１００：４０：１２：１２である、
インク組成物。
【化５】
0006388253.tif 000006
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化６】
0006388253.tif 000007
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、
Ｘは、２価の架橋基を表す。）
【化７】
0006388253.tif 000008
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化８】
0006388253.tif 000009
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
〔３〕
前記染料の総含有量が、４．７〜６．５質量％である、前項〔１〕に記載のインク組成
物。
〔４〕
前記染料の総含有量が、０．５〜１．５質量％である、前項〔２〕に記載のインク組成
物。
〔５〕
主鎖の炭素数が１２以上であるアセチレングリコールのアルキレンオキサイド付加物と
、
界面活性剤であるポリオキシアルキレンアルキルエーテルと、を含む、
前項〔１〕〜〔４〕のいずれか１項に記載のインク組成物。
〔６〕
溶剤であるトリエチレングリコールモノブチルエーテルを含み、
該トリエチレングリコールモノブチルエーテルの含有量が、３．０〜１０質量％である
、
前項〔１〕〜〔５〕のいずれか１項に記載のインク組成物。
〔７〕
前項〔１〕〜〔６〕のいずれか１項に記載のインク組成物を備える、
インクセット。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
〔インク組成物〕
本実施形態のインク組成物（以下、単に「インク」ともいう。）は、染料として、下記式（Ｂｋ−１）で表される染料（Ｂｋ−１）と、下記式（Ｂｗ−１）で表される染料（Ｂｗ−１）と、を含み、前記染料（Ｂｋ−１）と、前記染料（Ｂｗ−１）との含有量比率Ａ（前記染料（Ｂｋ−１）：前記染料（Ｂｗ−１））が、１００：１８〜１００：４０である。なお、本実施形態のインク組成物は、染料の総含有量が３．５質量％超過である態様と、染料の総含有量が０．５０〜１．５質量％である態様とを含む。
【化７】
0006388253.tif 000010
（式（Ｂｋ−１）中、Ｒ1、Ｒ2、Ｒ5、Ｒ6及びＲ7は各々独立して水素原子、ハロゲン原子、シアノ基、ヒドロキシル基、カルボキシル基、スルホ基、スルファモイル基、Ｎ−アルキルアミノスルホニル基、Ｎ−フェニルアミノスルホニル基、ヒドロキシル基で置換されてもよい炭素数１〜４のアルキルスルホニル基、ホスホ基、ニトロ基、アシル基、ウレイド基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されていてもよい）を、Ｒ3及びＲ4は各々独立して水素原子、ハロゲン原子、シアノ基、カルボキシル基、スルホ基、ニトロ基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されてもよい）を、ｎは０又は１をそれぞれ表す。）
【化８】
0006388253.tif 000011
（式（Ｂｗ−１）中、Ｒ21、Ｒ22、Ｒ23、Ｒ24、Ｒ25、Ｒ26、Ｒ27及びＲ28は、各々独立して、水素原子；ハロゲン原子；スルホ基；カルボキシ基；スルファモイル基；カルバモイル基；炭素数１〜４のアルキル基；炭素数１〜４のアルコキシ基；置換基として、ヒドロキシ基、炭素数１〜４のアルコキシ基、ヒドロキシ炭素数１〜４のアルコキシ基、スルホ基、及びカルボキシ基よりなる群から選択される少なくとも１種類の基で置換された炭素数１〜４のアルコキシ基；炭素数１〜４のアルキルカルボニルアミノ基；カルボキシ基で置換された炭素数１〜４のアルキルカルボニルアミノ基；ウレイド基；モノ炭素数１〜４のアルキルウレイド基；ジ炭素数１〜４のアルキルウレイド基；置換基として、ヒドロキシ基、スルホ基、及びカルボキシ基よりなる群から選択される少なくとも１種類の基で置換されたモノ炭素数１〜４のアルキルウレイド基；置換基として、ヒドロキシ基、スルホ基、及びカルボキシ基よりなる群から選択される少なくとも１種類の基で置換されたジ炭素数１〜４のアルキルウレイド基；ベンゾイルアミノ基；ベンゼン環が、ハロゲン原子、炭素数１〜４のアルキル基、ニトロ基、スルホ基、及びカルボキシ基よりなる群から選択される少なくとも１種類の基で置換されたベンゾイルアミノ基；ベンゼンスルホニルアミノ基；又は、ベンゼン環が、ハロゲン原子、炭素数１〜４のアルキル基、ニトロ基、スルホ基、及びカルボキシ基よりなる群から選択される少なくとも１種類の基で置換されたフェニルスルホニルアミノ基；を表し、
Ｘは、２価の架橋基を表す。）
【００１０】
〔式（Ｂｋ−１）で表される染料（Ｂｋ−１）〕
以下、式（Ｂｋ−１）で表される染料（Ｂｋ−１）（アゾ化合物又はその塩）について詳細に説明する。
【化９】
0006388253.tif 000012
（式（Ｂｋ−１）中、Ｒ1、Ｒ2、Ｒ5、Ｒ6及びＲ7は各々独立して水素原子、ハロゲン原子、シアノ基、ヒドロキシル基、カルボキシル基、スルホ基、スルファモイル基、Ｎ−アルキルアミノスルホニル基、Ｎ−フェニルアミノスルホニル基、ヒドロキシル基で置換されてもよい炭素数１〜４のアルキルスルホニル基、ホスホ基、ニトロ基、アシル基、ウレイド基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されていてもよい）を、Ｒ3及びＲ4は各々独立して水素原子、ハロゲン原子、シアノ基、カルボキシル基、スルホ基、ニトロ基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されてもよい）を、ｎは０又は１をそれぞれ表す。）
【００１１】
式（Ｂｋ−１）中、特に炭素数の記載のないアルキル基、アルコキシ基、アシル基等における炭素数は、特に限定はないが、通常炭素数１〜２０程度で有り、好ましくは炭素数１〜１０程度であり、更に好ましくはアルキル基、アルコキシ基又は脂肪族のアシル基の場合、炭素数１〜４程度であり、芳香族のアシル基の場合は炭素数７〜１１で有り、具体的にはベンゾイル基、ナフトイル基などが挙げられる。
【００１２】
式（Ｂｋ−１）中、Ｒ1、Ｒ2、Ｒ5、Ｒ6及びＲ7において、Ｎ−アルキルアミノスルホニル基の例としては例えば、Ｎ−メチルアミノスルホニル基、Ｎ−エチルアミノスルホニル基、Ｎ−（ｎ−ブチル）アミノスルホニル基、Ｎ，Ｎ−ジメチルアミノスルホニル基、Ｎ，Ｎ−ジ（ｎ−プロピル）アミノスルホニル基等が挙げられる。
【００１３】
式（Ｂｋ−１）中、Ｒ1、Ｒ2、Ｒ5、Ｒ6及びＲ7において、ヒドロキシル基で置換されてもよい炭素数１〜４のアルキルスルホニル基の例としては例えば、メチルスルホニル、エチルスルホニル、プロピルスルホニル、ブチルスルホニル、ヒドロキシエチルスルホニル、２−ヒドロキシプロピルスルホニル等が挙げられる。
【００１４】
式（Ｂｋ−１）中、Ｒ1、Ｒ2、Ｒ5、Ｒ6及びＲ7において、アシル基の好ましい例としては例えば、アセチル、プロピオニル、ブチリル又はイソブチリル等の炭素数１〜４のアルキルカルボニル、又はベンゾイル、ナフトイル等のＣ７〜Ｃ１１の芳香族カルボニル等が挙げられる。
【００１５】
式（Ｂｋ−１）中、Ｒ1からＲ7において、ヒドロキシ基若しくは炭素数１〜４のアルコキシ基で置換されてもよい炭素数１〜４のアルキル基の例としては例えば、メチル、エチル、ｎ−プロピル、イソプロピル、ｎ−ブチル、イソブチル、ｓｅｃ−ブチル、ｔｅｒｔ−ブチル、２−ヒドロキシエチル、２−ヒドロキシプロピル、３−ヒドロキシプロピル、メトキシエチル、２−エトキシエチル、ｎ−プロポキシエチル、イソプロポキシエチル、ｎ−ブトキシエチル、メトキシプロピル、エトキシプロピル、ｎ−プロポキシプロピル、イソプロポキシブチル、ｎ−プロポキシブチル等が挙げられる。
【００１６】
式（Ｂｋ−１）中、Ｒ1からＲ7において、ヒドロキシ基、炭素数１〜４のアルコキシ、スルホ基又はカルボキシル基からなる群から選ばれる置換基で置換されてもよい炭素数１〜４のアルコキシ基の例としては例えば、メトキシ、エトキシ、ｎ−プロポキシ、イソプロポキシ、ｎ−ブトキシ、ｓｅｃ−ブトキシ、ｔｅｒｔ−ブトキシ、２−ヒドロキシエトキシ、２−ヒドロキシプロポキシ、３−ヒドロキシプロポキシ、メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ、２−ヒドロキシエトキシエトキシ、カルボキシメトキシ、２−カルボキシエトキシ、３−カルボキシプロポキシ、３−スルホプロポキシ、４−スルホブトキシ等が挙げられる。
【００１７】
式（Ｂｋ−１）中、Ｒ1からＲ7において、アシルアミノ基の好ましいアシル基としては例えば前記アシル基の項で挙げた好ましいアシル基が挙げられ、好ましいアシルアミノ基としては例えば、アセチルアミノ、プロピオニルアミノ、ブチリルアミノ、イソブチリルアミノ、ベンゾイルアミノ、ナフトイルアミノ等が挙げられる。
【００１８】
式（Ｂｋ−１）中、Ｒ1からＲ7において、アルキルスルホニルアミノ基の好ましい例としては例えば、メチルスルホニルアミノ、エチルスルホニルアミノ、プロピルスルホニルアミノ等が挙げられる。
【００１９】
式（Ｂｋ−１）中、Ｒ1からＲ7において、ハロゲン原子、アルキル基若しくはニトロ基からなる群から選ばれる基で置換されてもよいフェニルスルホニルアミノ基の好ましい例としては例えば、ベンゼンスルホニルアミノ、トルエンスルホニルアミノ、クロロベンゼンスルホニルアミノ、ニトロベンゼンスルホニルアミノ等が挙げられる。
【００２０】
式（Ｂｋ−１）中、好ましいＲ1及びＲ2は、各々独立して、水素原子、塩素原子、臭素原子、シアノ基、カルボキシル基、スルホ基、スルファモイル基、Ｎ−メチルアミノスルホニル基、Ｎ−フェニルアミノスルホニル基、メチルスルホニル基、ヒドロキシエチルスルホニル基、リン酸基、ニトロ基、アセチル基、ベンゾイル基、ウレイド基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基、アセチルアミノ基、ベンゾイルアミノ基等であり、さらに好ましくは、水素原子、塩素原子、シアノ基、スルファモイル基、アセチル基、ニトロ基、カルボキシル基又はスルホ基であり、より好ましくは、水素原子、カルボキシル基又はスルホ基である。さらに好ましいＲ1は、カルボキシル基又はスルホ基であり、スルホ基が特に好ましい。Ｒ2は水素原子が特に好ましい。
【００２１】
式（Ｂｋ−１）中、置換位置は、Ｒ1の置換位置がアゾ基に対しオルト位の場合、ニトロ基の置換位置がアゾ基に対しパラ位であり、Ｒ1の置換位置がアゾ基に対しパラ位の場合、ニトロ基の置換位置がアゾ基に対しオルト位であることが好ましい。
【００２２】
式（Ｂｋ−１）中、好ましいＲ3及びＲ4は、各々独立して、水素原子、シアノ基、カルボキシル基、スルホ基、ニトロ基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基又はアセチルアミノ基であり、より好ましくは、水素原子、カルボキシル基、スルホ基、メチル基、メトキシ基又は３−スルホプロポキシ基であり、更に好ましくは、水素原子又はスルホ基である。また、Ｒ3がスルホ基、Ｒ4が水素原子の組み合わせが特に好ましい。
【００２３】
式（Ｂｋ−１）中、好ましいＲ5からＲ7は、各々独立して、水素原子、塩素原子、臭素原子、シアノ基、カルボキシル基、スルホ基、スルファモイル基、Ｎ−メチルアミノスルホニル基、Ｎ−フェニルアミノスルホニル基、メチルスルホニル基、ヒドロキシエチルスルホニル基、リン酸基、ニトロ基、アセチル基、ベンゾイル基、ウレイド基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基、アセチルアミノ基、ベンゾイルアミノ基等であり、さらに好ましくは、水素原子、塩素原子、シアノ基、スルファモイル基、アセチル基、ニトロ基、カルボキシル基又はスルホ基であり、より好ましくは、水素原子、カルボキシル基又はスルホ基である。特に好ましいＲ5は水素原子、カルボキシル基又はスルホ基、特に好ましいＲ6はカルボキシル基又はスルホ基、特に好ましいＲ7は水素原子である。
【００２４】
式（Ｂｋ−１）中、Ｒ1及びＲ2として好ましいものは、いずれか一方が水素原子又はスルホ基であり、他方がカルボキシル基、スルホ基又は炭素数１〜４のアルコキシ基の場合であり、より好ましくは、いずれか一方が水素原子で、他方がカルボキシル基又はスルホ基の場合である。ｎは０又は１何れでもよいが、１がより好ましい。
【００２５】
式（Ｂｋ−１）中、Ｒ3及びＲ4として好ましいものは、一方がスルホ基又はスルホ炭素数１〜４のアルコキシ基であり、他方が水素原子、スルホ基又は炭素数１〜４のアルキル基の場合であり、より好ましくは、一方がスルホ基で他方が水素原子の場合である。
また、Ｒ5、Ｒ6及びＲ7として好ましいものは、いずれか１つが、スルホ基、カルボキシル基、スルホプロポキシ基、ヒドロキシ基又はヒドロキシ炭素数１〜４のアルキルスルホニル基から選ばれるもの、より好ましくはスルホ基又はカルボキシル基、更に好ましくはスルホ基であり、他のいずれか１つが、水素原子、スルホ基、カルボキシル基、炭素数１〜４のアルキル基、ニトロ基又はアミノスルホニル基であり、より好ましくは水素原子、スルホ基又はカルボキシル基であり、残りの１つが、水素原子、スルホ基、トルエンスルホニルアミノ基又はアセチルアミノ基であり、より好ましくは水素原子である。
【００２６】
これらの好ましいもの同士の組み合わせはより好ましく、好ましいものとより好ましいものの組み合わせは更に好ましく、より好ましい同士の組み合わせは最も好ましい。
【００２７】
式（Ｂｋ−１）で示される化合物の塩は、無機又は有機の陽イオンの塩である。そのうち無機塩の具体例としては、アルカリ金属塩、アルカリ土類金属塩及びアンモニウム塩が挙げられ、好ましい無機塩は、リチウム、ナトリウム、カリウムの塩及びアンモニウム塩であり、又、有機の陽イオンの塩としては例えば下記式（Ｂｋ−２）で示される化合物の塩が挙げられるがこれらに限定されるものではない。
【化１０】
0006388253.tif 000013
（式（Ｂｋ−２）中、Ｚ1、Ｚ2、Ｚ3、Ｚ4は、各々独立して、アルキル基、ヒドロキシアルキル基、又はヒドロキシアルコキシアルキル基を示す。）
【００２８】
式（Ｂｋ−２）中、Ｚ1、Ｚ2、Ｚ3、Ｚ4のアルキル基の例としてはメチル、エチル、ｎ−プロピル、イソプロピル、ｎ−ブチル、イソブチル、ｓｅｃ−ブチル、ｔｅｒｔ−ブチルなどが挙げられる。ヒドロキシアルキル基の例としてはヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシ−炭素数１〜４のアルキル基が挙げられる。ヒドロキシアルコキシアルキル基の例としては、ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等のヒドロキシ炭素数１〜４のアルコキシ−炭素数１〜４のアルキル基が挙げられる。これらのうちヒドロキシエトキシ−炭素数１〜４のアルキル基が好ましい。特に好ましいものとしては水素原子；メチル基；ヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシ−炭素数１〜４のアルキル基；ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等のヒドロキシエトキシ−炭素数１〜４のアルキル基が挙げられる。
【００２９】
式（Ｂｋ−２）中、Ｚ1、Ｚ2、Ｚ3、Ｚ4の具体例を以下に示す。
【化１１】
0006388253.tif 000014
【００３０】
式（Ｂｋ−１）で示される化合物は、特許第４７６４８２９に記載の方法により製造することができる。
【００３１】
式（Ｂｋ−１）で示される化合物の好適な例として、特に限定されるものではないが、具体的に下記の構造が挙げられる。
【化１２】
0006388253.tif 000015
【００３２】
式（Ｂｋ−１）で表される色材の含有量は、インクの総量に対して、好ましくは２．０〜７．５質量％であり、より好ましくは２．５〜５．０質量％であり、さらに好ましくは３．０〜４．５質量％である。式（Ｂｋ−１）で表される色材の含有量が上記範囲内であることにより、目視にて優れた黒色を呈する傾向にある。
【００３３】
〔式（Ｂｗ−１）で表される染料（Ｂｗ−１）〕
以下、式（Ｂｗ−１）で表される色材について詳細に説明する。式（Ｂｗ−１）で表される色材は、式（Ｂｋ−１）で表される色材の色補正用の染料である。そのため、インク中における式（Ｂｋ−１）で表される色材及び式（Ｂｗ−１）で表される色材の含有量や、これらの染料の含有比率を調整することによって、インクを用いて形成される画像の色相を容易に無彩色に近づけることができる。つまり、インクを用いて記録される画像の色相は、式（Ｂｋ−１）で表される色材及び式（Ｂｗ−１）で表される色材の相補的な作用よって、目視にて優れた黒色を呈するものにできる。
【００３４】
本明細書において、優れた黒色とは、画像のａ*値が−３以上３以下の範囲内にあり、かつ、ｂ*値が−３以上３以下であることを意味する。前記ａ*値及びｂ*値は、Ｌ*ａ*ｂ*表色系としてＣＩＥ（国際照明委員会）で規定されているものである。
【００３５】
また、式（Ｂｗ−１）で表される色材は、式（Ｂｋ−１）で表される色材とともにインクに含有されることで、発色性に優れた画像を得ることができる。特に、式（Ｂｋ−１）で表される色材及び式（Ｂｗ−１）で表される色材を含有するインクを用いて高ｄｕｔｙ値で画像の記録を行った場合であっても、ブロンズ現象が起こり難い。「ブロンズ現象」とは、高ｄｕｔｙ値で画像の記録を行った場合に起こりやすい現象であり、本来の色相とは異なる色相を示したり、又は、金属光沢を示すことで、発色性や色相が損なわれる現象である。
【００３６】
なお、「ｄｕｔｙ値」とは、「ｄｕｔｙ（％）＝実吐出ドット数／（縦解像度×横解像度）×１００（式中、「実吐出ドット数」は単位面積当たりの実吐出ドット数であり、「縦解像度」及び「横解像度」はそれぞれ単位面積当たりの解像度である。）」により算出される値である。
【００３７】
また、式（Ｂｗ−１）で表される色材は、式（Ｂｋ−１）で表される色材と同様に、インク中で分解しにくい性質を備える。そのため、インクは、保存安定性に優れている。また、式（Ｂｗ−１）で表される色材は、式（Ｂｋ−１）で表される色材と同様に、光の照射を受けたり、大気中のガス（特に、オゾン）に晒されたりしても、分解しにくい性質を備えている。そのため、インクを用いて形成された画像は、耐光性、耐ガス性（特に、耐オゾン性）に優れているので、光や大気の影響による変色や退色を起こしにくい。なお、式（Ｂｋ−１）で表される色材及び式（Ｂｗ−１）で表される色材は、インク中において相乗的に作用するので、インクの貯蔵安定性をより向上させたり、インクを用いて記録される画像の発色濃度、耐光性、耐オゾン性等をより向上させる。
【００３８】
染料（Ｂｋ−１）と、染料（Ｂｗ−１）との含有量比率Ａ（染料（Ｂｋ−１）：染料（Ｂｗ−１））は、１００：１８〜１００：４０であり、好ましくは１００：１８〜１００：３７．５であり、より好ましくは１００：１８〜１００：３５である。含有量比率Ａが上記範囲内であることにより、色相がより向上する。（より無彩色に近づく）
【００３９】
以下、式（Ｂｗ−１）で表される染料（Ｂｗ−１）を示す。
【化１３】
0006388253.tif 000016
（上記式（Ｂｗ−１）中、Ｒ21、Ｒ22、Ｒ23、Ｒ24、Ｒ25、Ｒ26、Ｒ27及びＲ28は、各々独立して、水素原子；ハロゲン原子；スルホ基；カルボキシ基；スルファモイル基；カルバモイル基；炭素数１〜４のアルキル基；炭素数１〜４のアルコキシ基；置換基として、ヒドロキシ基、炭素数１〜４のアルコキシ基、ヒドロキシ炭素数１〜４のアルコキシ基、スルホ基、及びカルボキシ基よりなる群から選択される少なくとも１種類の基で置換された炭素数１〜４のアルコキシ基；炭素数１〜４のアルキルカルボニルアミノ基；カルボキシ基で置換された炭素数１〜４のアルキルカルボニルアミノ基；ウレイド基；モノ炭素数１〜４のアルキルウレイド基；ジ炭素数１〜４のアルキルウレイド基；置換基として、ヒドロキシ基、スルホ基、及びカルボキシ基よりなる群から選択される少なくとも１種類の基で置換されたモノ炭素数１〜４のアルキルウレイド基；置換基として、ヒドロキシ基、スルホ基、及びカルボキシ基よりなる群から選択される少なくとも１種類の基で置換されたジ炭素数１〜４のアルキルウレイド基；ベンゾイルアミノ基；ベンゼン環が、ハロゲン原子、炭素数１〜４のアルキル基、ニトロ基、スルホ基、及びカルボキシ基よりなる群から選択される少なくとも１種類の基で置換されたベンゾイルアミノ基；ベンゼンスルホニルアミノ基；又は、ベンゼン環が、ハロゲン原子、炭素数１〜４のアルキル基、ニトロ基、スルホ基、及びカルボキシ基よりなる群から選択される少なくとも１種類の基で置換されたフェニルスルホニルアミノ基；を表す。）
【００４０】
式（Ｂｗ−１）中、Ｘは、２価の架橋基を表す。
【００４１】
式（Ｂｗ−１）中、Ｒ21〜Ｒ28におけるハロゲン原子としては、フッ素原子、塩素原子、臭素原子、及びヨウ素原子が挙げられる。これらの中では、フッ素原子、塩素原子、及び臭素原子が好ましく、塩素原子が特に好ましい。
【００４２】
式（Ｂｗ−１）中、Ｒ21〜Ｒ28における炭素数１〜４のアルキル基としては、直鎖、又は分岐鎖のものが挙げられ、直鎖のものが好ましい。炭素数１〜４のアルキル基としては、例えば、メチル、エチル、ｎ−プロピル、ｎ−プチルといった直鎖のもの；イソプロピル、イソプチル、ｓｅｃ−プチル、ｔ−プチルといった分岐鎖のもの；が挙げられる。好ましい具体例としては、メチル、エチルが挙げられ、メチルが特に好ましい。
【００４３】
式（Ｂｗ−１）中、Ｒ21からＲ28における炭素数１〜４のアルコキシ基としては、直鎖又は分岐鎖のものが挙げられる。具体例としてはメトキシ、エトキシ、ｎ−プロポキシ、ｎ−ブトキシといった直鎖のもの；イソプロポキシ、イソブトキシ、ｓｅｃ−ブトキシ、ｔ−ブトキシといった分岐鎖のもの；等が挙げられる。好ましい具体例としてはメトキシ、エトキシが挙げられ、メトキシが特に好ましい。
【００４４】
式（Ｂｗ−１）中、Ｒ21〜Ｒ28における、置換基として、ヒドロキシ基、炭素数１〜４のアルコキシ基、ヒドロキシ炭素数１〜４のアルコキシ基、スルホ基、及びカルボキシ基よりなる群から選択される少なくとも１種類の基で置換された炭素数１〜４のアルコキシ基としては、炭素数１〜４のアルコキシ基における任意の炭素原子に、これらの置換基を有するものが挙げられる。該置換基の数は、通常１又は２、好ましくは１である。置換基の位置は特に制限されないが、同一の炭素原子に２つ以上の酸素原子が置換しないものが好ましい。具体例としては、２−ヒドロキシエトキシ、２−ヒドロキシプロポキシ、３−ヒドロキシプロポキシ等のヒドロキシ炭素数１〜４のアルコキシ基；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等の炭素数１〜４のアルコキシ炭素数１〜４のアルコキシ基；２−ヒドロキシエトキシエトキシ等のヒドロキシ炭素数１〜４のアルコキシ炭素数１〜４のアルコキシ基；カルボキシメトキシ、２−カルボキシエトキシ、３−カルボキシプロポキシ等のカルボキシ炭素数１〜４のアルコキシ基；２−スルホエトキシ、３−スルホプロポキシ、４−スルホブトキシ等のスルホ炭素数１〜４のアルコキシ基；等が挙げられる。
【００４５】
式（Ｂｗ−１）中、Ｒ21〜Ｒ28における、炭素数１〜４のアルキルカルボニルアミノ基としては、直鎖又は分岐鎖のものが挙げられ、直鎖のものが好ましい。具体例としては、アセチルアミノ（メチルカルボニルアミノ）、エチルカルボニルアミノ、プロピルカルボニルアミノ、ブチルカルボニルアミノ等の直鎖のもの；イソプロピルカルボニルアミノ、ｔ−ブチルカルボニルアミノ等の分岐鎖のもの；等が挙げられる。
【００４６】
式（Ｂｗ−１）中、Ｒ21〜Ｒ28における、カルボキシ基で置換された炭素数１〜４のアルキルカルボニルアミノ基の具体例としては例えば、２−カルボキシエチルカルボニルアミノ、３−カルボキシプロピルカルボニルアミノ等のカルボキシ炭素数１〜４のアルキルカルボニルアミノ基；等が挙げられる。カルボキシ基の置換数は、通常１又は２、好ましくは１である。
【００４７】
式（Ｂｗ−１）中、Ｒ21〜Ｒ28における、モノ炭素数１〜４のアルキルウレイド基としては、アルキル部分が直鎖又は分岐鎖のものが挙げられる。該炭素数１〜４のアルキルの置換位置は特に制限されないが、「Ｎ’」に置換するのが好ましい。本明細書において、「モノ炭素数１〜４のアルキルウレイド基」とは、「炭素数１〜４のアルキルＮＨ−ＣＯ−ＮＨ−」基又は「Ｈ2Ｎ−ＣＯ−Ｎ（炭素数１〜４のアルキル）−」基を意味し、Ｒ21〜Ｒ28が結合するベンゼン環において、該ベンゼン環に直接結合する窒素原子を「Ｎ」、この窒素原子とカルボニル（ＣＯ）基を介して結合する窒素原子を「Ｎ’」として記載する。したがって、該炭素数１〜４のアルキルの置換位置としては前者が「Ｎ’」、後者が「Ｎ」である。その具体例としては、Ｎ’−エチルウレイド、Ｎ’−プロピルウレイド、Ｎ’−ブチルウレイド等の直鎖のもの；Ｎ’−イソプロピルウレイド、Ｎ’−イソブチルウレイド、Ｎ’−ｔ−ブチルウレイド等の分岐鎖のもの；等が挙げられる。
【００４８】
式（Ｂｗ−１）中、Ｒ21〜Ｒ28における、ジ炭素数１〜４のアルキルウレイド基としては、直鎖又は分岐鎖のものが挙げられる。該炭素数１〜４のアルキルの置換位置は特に制限されず、前記「モノ炭素数１〜４のアルキルウレイド基」における置換位置に準じて「Ｎ」及び「Ｎ’」に１つずつ、又は「Ｎ’」に２つ置換してもよいが、後者が好ましい。また２つの該炭素数１〜４のアルキルは、同一であっても異なっていてもよいが、同一のものが好ましい。その具体例としては、Ｎ’，Ｎ’−ジメチルウレイド、Ｎ’，Ｎ’−ジエチルウレイド、Ｎ’，Ｎ’−ジプロピルウレイド、Ｎ’，Ｎ’−ジブチルウレイド等の直鎖のもの；Ｎ’，Ｎ’−ジイソプロピルウレイド、Ｎ’，Ｎ’−ジイソブチルウレイド等の分岐のもの；等が挙げられる。
【００４９】
式（Ｂｗ−１）中、Ｒ21からＲ28における、置換基として、ヒドロキシ基、スルホ基、及びカルボキシ基よりなる群から選択される少なくとも１種類の基で置換されたモノ炭素数１〜４のアルキルウレイド基としては、前記モノ炭素数１〜４のアルキルウレイド基における任意の炭素原子に、これらの置換基を有するものが挙げられる。該置換基の数は、通常１又は２、好ましくは１である。置換基の位置は特に制限されないが、同一の炭素原子に窒素原子とヒドロキシ基とが置換しないものが好ましい。具体例としては、Ｎ’−２−ヒドロキシエチルウレイド、Ｎ’−３−ヒドロキシプロピルウレイド等のＮ’−モノ（ヒドロキシ炭素数１〜４のアルキル）ウレイド基；Ｎ’−２−スルホエチルウレイド、Ｎ’−３−スルホプロピルウレイド等のＮ’−モノ（スルホ炭素数１〜４のアルキル）ウレイド基；Ｎ’−カルボキシメチルウレイド、Ｎ’−２−カルボキシエチルウレイド、Ｎ’−３−カルボキシプロピルウレイド、Ｎ’−４−カルボキシブチルウレイド等のＮ’−モノ（カルボキシ炭素数１〜４のアルキル）ウレイド基；等が挙げられる。
【００５０】
式（Ｂｗ−１）中、Ｒ21からＲ28における、置換基として、ヒドロキシ基、スルホ基、及びカルボキシ基よりなる群から選択される少なくとも１種類の基で置換されたジ炭素数１〜４のアルキルウレイド基としては、前記ジ炭素数１〜４のアルキルウレイド基における任意の炭素原子に、これらの置換基を有するものが挙げられる。該置換基の数は、通常１又は２、好ましくは２である。置換基の位置は特に制限されないが、同一の炭素原子に窒素原子とヒドロキシ基とが置換しないものが好ましい。また、置換基を複数有するとき、その種類としては同一でも異なっていてもよいが、同一のものが好ましい。具体例としては、Ｎ’，Ｎ’−ジ（２−ヒドロキシエチル）ウレイド、Ｎ’，Ｎ’−ジ（２−ヒドロキシプロピル）ウレイド、Ｎ’，Ｎ’−ジ（３−ヒドロキシプロピル）ウレイド等のＮ’，Ｎ’−ジ（ヒドロキシ炭素数１〜４のアルキル）ウレイド基；Ｎ’，Ｎ’−ジ（３−スルホプロピル）ウレイド等のＮ’，Ｎ’−ジ（スルホ炭素数１〜４のアルキル）ウレイド基；Ｎ’，Ｎ’−ジ（カルボキシメチル）ウレイド等のＮ’，Ｎ’−ジ（カルボキシ炭素数１〜４のアルキル）ウレイド基；等が挙げられる。
【００５１】
式（Ｂｗ−１）中、Ｒ21からＲ28における、ベンゼン環が、置換基として、ハロゲン原子（フッ素原子、塩素原子、臭素原子、及びヨウ素原子が挙げられ、塩素原子が特に好ましい。）、炭素数１〜４のアルキル基、ニトロ基、スルホ基、及びカルボキシ基よりなる群から選択される少なくとも１種類の基で置換されたベンゾイルアミノ基としては、これらの置換基を１ないし３つ、好ましくは１又は２つ有するものが挙げられる。置換基を複数有するとき、その種類としては同一でも異なっていてもよく、同一であるものが好ましい。その具体例としては、２−クロロベンゾイルアミノ、４−クロロベンゾイルアミノ、２，４−ジクロロベンゾイルアミノ等のハロゲン原子置換ベンゾイルアミノ基；２−メチルベンゾイルアミノ、３−メチルベンゾイルアミノ、４−メチルベンゾイルアミノ等の炭素数１〜４のアルキル置換ベンゾイルアミノ基；２−ニトロベンゾイルアミノ、４−ニトロベンゾイルアミノ、３，５−ジニトロベンゾイルアミノ等のニトロ置換ベンゾイルアミノ基；２−スルホベンゾイルアミノ、４−スルホベンゾイルアミノ等のスルホ置換ベンゾイルアミノ基；２−カルボキシベンゾイルアミノ、４−カルボキシベンゾイルアミノ、３，５−ジカルボキシベンゾイルアミノ等のカルボキシ置換ベンゾイルアミノ基；等が挙げられる。
【００５２】
式（Ｂｗ−１）中、Ｒ21からＲ28において、ハロゲン原子、炭素数１〜４のアルキル基、ニトロ基、スルホ基及びカルボキシ基よりなる群から選択される少なくとも１種類の基でベンゼン環が置換されたフェニルスルホニルアミノ基としては、これらの置換基を１ないし３つ、好ましくは１又は２つ、より好ましくは１つ有するものが挙げられる。置換基を複数有するとき、その種類としては同一でも異なっていてもよい。その具体例としては、２−クロロフェニルスルホニルアミノ、４−クロロフェニルスルホニルアミノ等のハロゲン原子置換フェニルスルホニルアミノ基；２−メチルフェニルスルホニルアミノ、４−メチルフェニルスルホニルアミノ、４−ｔ−ブチルフェニルスルホニルアミノ等の炭素数１〜４のアルキル置換フェニルスルホニルアミノ基；２−ニトロフェニルスルホニルアミノ、３−ニトロフェニルスルホニルアミノ、４−ニトロフェニルスルホニルアミノ等のニトロ置換フェニルスルホニルアミノ基；３−スルホフェニルスルホニルアミノ、４−スルホフェニルスルホニルアミノ等のスルホ置換フェニルスルホニルアミノ基；３−カルボキシフェニルスルホニルアミノ、４−カルボキシフェニルスルホニルアミノ等のカルボキシ置換フェニルスルホニルアミノ基；等が挙げられる。
【００５３】
式（Ｂｗ−１）中、Ｒ21からＲ28としては、水素原子；ハロゲン原子；炭素数１〜４のアルキル基；炭素数１〜４のアルコキシ基；スルホ基又はカルボキシ基で置換されたＣｌ−Ｃ４アルコキシ基；炭素数１〜４のアルキルカルボニルアミノ基；が好ましい。これらの中でも、水素原子、メチル、エチル、ｔ−ブチル、２−カルボキシエトキシ、３−カルボキシプロポキシ、２−スルホエトキシ、３−スルホプロポキシ、４−スルホブトキシ；がより好ましい。さらに、これらのなかでも、水素原子、メチル、３−スルホプロポキシが特に好ましい。
【００５４】
式（Ｂｗ−１）中、Ｒ21からＲ28としては、少なくとも１つがスルホ基で置換された炭素数１〜４のアルコキシ基が好ましい。また、Ｒ21からＲ24が各々独立して、水素原子、炭素数１〜４のアルキル基、又はスルホ基で置換された炭素数１〜４のアルコキシ基であり、かつ、Ｒ21からＲ24の少なくとも１つがスルホ基で置換された炭素数１〜４のアルコキシ基であり、Ｒ25からＲ28が、各々独立して、水素原子又は炭素数１〜４のアルキル基がより好ましい。また、Ｒ21及びＲ22の少なくとも一方がスルホプロポキシ基であり、Ｒ23及びＲ24の少なくとも一方がスルホプロポキシ基であり、Ｒ25からＲ28が炭素数１〜４のアルキル基がさらに好ましい。
【００５５】
式（Ｂｗ−１）中、Ｒ21からＲ28の置換位置は特に制限されないが、これらが置換するそれぞれのベンゼン環において、トリアジン環に結合する窒素原子の置換位置を１位、アゾ基の置換位置を４位として、Ｒ21からＲ24が２位、Ｒ25からＲ28が５位に置換するのが好ましい。
【００５６】
式（Ｂｗ−１）中、Ｘを表す架橋基としては、式（Ｂｗ−１）で表される化合物が水に対して溶解性を示す範囲で、２価のものであれば特に制限されない。ここで、水に対する式（Ｂｗ−１）で表される化合物の溶解性としては、１リットルの水に対して式（Ｂｗ−１）で表される化合物が通常５ｇ以上、好ましくは１０ｇ以上、より好ましくは２５ｇ以上、さらに好ましくは５０ｇ以上、特に好ましくは１００ｇ以上、それぞれ溶解するのがよい。その具体例としては、窒素原子、酸素原子、硫黄原子等の２価の原子（好ましくは２価のヘテロ原子）；それぞれＣ１−Ｃ８の、アルキレンジアミノ基、アルキレンジオキシ基もしくはアルキレンジチオ基；Ｎ，Ｎ’−ヒドラジンジイル基；アミノアルコキシアルキルアミノ基といった、酸素原子に２つのアルキルアミノ基が置換したもの；及び、アミノアルコキシアルコキシアルキルアミノ基等のエーテル結合を１つ以上含むアルキレンオキシド鎖の末端に、アミノ基及びアルキルアミノ基が１つずつ置換したもの；等が挙げられる。Ｘを表す２価の架橋基は、炭素原子の置換基として、ヒドロキシ基、カルボキシ基及びアルコキシ基よりなる群から選択される基を；また、窒素原子の置換基として、アルキル部分がヒドロキシ基若しくはカルボキシ基で置換されていてもよいアルキル基を；それぞれ有してもよい。
【００５７】
式（Ｂｗ−１）中、Ｘを表す２価の架橋基としては、Ｃ１−Ｃ８アルキレンジアミノ基；ヒドロキシ基もしくはカルボキシ基で置換されたＣ１−Ｃ８アルキレンジアミノ基；Ｎ−炭素数１〜４のアルキル−Ｃ１−Ｃ６アルキレンジアミノ基；アルキル部分がヒドロキシ基もしくはカルボキシ基で置換されたＮ−炭素数１〜４のアルキル−Ｃ１−Ｃ６アルキレンジアミノ基；アミノＣ１−Ｃ６アルコキシＣ１−Ｃ６アルキルアミノ基；アミノ炭素数１〜４のアルコキシ炭素数１〜４のアルコキシ炭素数１〜４のアルキルアミノ基；キシリレンジアミノ基；ピペラジン−１，４−ジイル基；炭素数１〜４のアルキル基もしくは炭素数１〜４のアルコキシ基で置換されたピペラジン−１，４−ジイル基；又はフェニレンジアミノ基；よりなる群から選択されるいずれかの基が好ましい。なお、これらの２価の架橋基は、いずれもアミノ基を２つ有する「ジアミノ」基である。したがって、該「ジアミノ」は、ピペラジン−１，４−ジイル等の一部の基を除き、いずれか１つの窒素原子で架橋する（すなわち、Ｎ，Ｎ−ジイルとなる）場合、又は異なる２つの窒素原子で架橋する（すなわち、Ｎ，Ｎ’−ジイルとなる）場合、の両者を含む。これらのうち、「Ｎ，Ｎ’−ジイル」となる後者の場合が特に好ましい。
【００５８】
式（Ｂｗ−１）中、Ｘにおける、Ｃ１−Ｃ８アルキレンジアミノ基としては、直鎖、又は分岐鎖のものが挙げられ、直鎖のものが好ましい。炭素数の範囲としては通常Ｃ１−Ｃ８、好ましくはＣ２−Ｃ８、より好ましくはＣ２−Ｃ６、さらに好ましくはＣ２−Ｃ４が挙げられる。その具体例としては例えば、エチレンジアミノ、１，３−プロピレンジアミノ、１，４−ブチレンジアミノ、１，５−ペンチレンジアミノ、１，６−へキシレンジアミノ、１，７−ヘプチレンジアミノ、１，８−オクチレンジアミノといった直鎖のもの；２−メチル−１，３−プロピレンジアミノ、３−メチル−１，４−ブチレンジアミノ、４−メチル−１，６−ヘキシレンジアミノ等の分岐鎖のもの；等が挙げられる。
【００５９】
式（Ｂｗ−１）中、Ｘにおける、ヒドロキシ基又はカルボキシ基で置換されたＣ１−Ｃ８アルキレンジアミノ基としては、前記Ｃ１−Ｃ８アルキレンジアミノ基における任意の炭素原子に、これらの置換基を有するものが挙げられる。該置換基の数は特に制限されないが、好ましくは１又は２である。また、置換基を複数有するとき、その種類としては同一でも異なっていても良く、同一のものが好ましい。その具体例としては例えば、２−ヒドロキシ−１，３−プロピレンジアミノ、２−ヒドロキシ−１，４−ブチレンジアミノ、３−ヒドロキシ−１，６−へキシレンジアミノ等のヒドロキシ置換Ｃ１−Ｃ８アルキレンジアミノ基；１−カルボキシエチレンジアミノ、１−カルボキシ−１，３−プロピレンジアミノ、１−カルボキシ−１，４−ブチレンジアミノ、１−カルボキシ−１，５−ペンチレンジアミノ、１，５−ジカルボキシ−１，５−ペンチレンジアミノ等のカルボキシ置換Ｃ１−Ｃ８アルキレンジアミノ基；等が挙げられる。
【００６０】
式（Ｂｗ−１）中、Ｘにおける、Ｎ−炭素数１〜４のアルキル−Ｃ１−Ｃ６アルキレンジアミノ基としては、Ｃ１−Ｃ６アルキレンジアミノ基の一方の窒素原子が、炭素数１〜４のアルキル基で置換されたものを意味する。本明細書においては、ジアミノ基のうち炭素数１〜４のアルキル基で置換された窒素原子を「Ｎ」と表記し、必要に応じて他方の窒素原子を「Ｎ’」と表記する。アルキレン部分の炭素原子数の範囲としては通常Ｃ１−Ｃ６、好ましくはＣ２−Ｃ４、特に好ましくはＣ２又はＣ３である。該炭素数１〜４のアルキル基としては、直鎖又は分岐鎖のものが挙げられ、直鎖のものが好ましい。その具体例としては、Ｎ−メチルエチレンジアミノ基、Ｎ−エチルエチレンジアミノ基、Ｎ−プロピルエチレンジアミノ基、Ｎ−プチルエチレンジアミノ基といったＮ−直鎖炭素数１〜４のアルキル−Ｃ１−Ｃ６アルキレンジアミノ基；Ｎ−イソプロピルエチレンジアミノ基、Ｎ−イソブチルエチレンジアミノ基、Ｎ−ｓｅｃ−ブチルエチレンジアミノ基、Ｎ−ｔｅｒｔ−ブチルエチレンジアミノ基といったＮ−分岐鎖炭素数１〜４のアルキル−Ｃ１−Ｃ６アルキレンジアミノ基；等が挙げられる。
【００６１】
式（Ｂｗ−１）中、Ｘにおける、アルキル部分がヒドロキシ基又はカルボキシ基で置換されたＮ−炭素数１〜４のアルキル−Ｃ１−Ｃ６アルキレンジアミノ基とは、前記Ｎ−炭素数１〜４のアルキル−Ｃ１−Ｃ６アルキレンジアミノ基における、Ｎ−炭素数１〜４のアルキル基のアルキル部分の任意の炭素原子に、これらの置換基を有するものが挙げられる。置換基の位置は特に制限されないが、窒素原子とヒドロキシ基とが同一の炭素原子に置換しないものが好ましい。アルキレン部分の炭素原子数の範囲としては、好ましいものも含めて前記Ｎ−炭素数１〜４のアルキル−Ｃ１−Ｃ６アルキレンジアミノ基におけるのと同じ範囲が挙げられる。また、アルキル部分の炭素数の範囲としては、通常炭素数１〜４の、好ましくはＣ２−Ｃ４、より好ましくはＣ２−Ｃ３である。該置換基の数は、通常１又は２、好ましくは１である。また、置換基を複数有するとき、その種類としては同一でも異なっていてもよいが、同一のものが好ましい。その具体例としては、Ｎ−（２−ヒドロキシエチル）エチレンジアミノ基、Ｎ−（３−ヒドロキシプロピル）エチレンジアミノ基、Ｎ−（２−ヒドロキシプロピル）エチレンジアミノ基、Ｎ−（４−ヒドロキシブチル）エチレンジアミノ基等のＮ−ヒドロキシ置換炭素数１〜４のアルキル−Ｃ１−Ｃ６アルキレンジアミノ基；Ｎ−（カルボキシメチル）エチレンジアミノ基、Ｎ−（２−カルボキシエチル）エチレンジアミノ基、Ｎ−（３−カルボキシプロピル）エチレンジアミノ基、Ｎ−（４−カルボキシブチル）エチレンジアミノ基等のＮ−カルボキシ置換炭素数１〜４のアルキル−Ｃ１−Ｃ６アルキレンジアミノ基；等が挙げられる。
【００６２】
式（Ｂｗ−１）中、Ｘにおける、アミノＣ１−Ｃ６アルコキシＣ１−Ｃ６アルキルアミノ基としては、直鎖、又は分岐鎖のものが挙げられ、直鎖のものが好ましい。なお、アミノＣ１−Ｃ６アルコキシＣ１−Ｃ６アルキルアミノ基のうち、好ましい炭素数の範囲を有するものとしてアミノＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルキルアミノ基が挙げられる。その具体例としては、アミノエトキシエチルアミノ、アミノエトキシプロピルアミノ、アミノプロポキシプロピルアミノ、アミノエトキシペンチルアミノ等が挙げられる。
【００６３】
式（Ｂｗ−１）中、Ｘにおける、アミノ炭素数１〜４のアルコキシ炭素数１〜４のアルコキシ炭素数１〜４のアルキルアミノ基としては、直鎖、又は分岐鎖のものが挙げられ、直鎖のものが好ましい。なお、アミノ炭素数１〜４のアルコキシ炭素数１〜４のアルコキシ炭素数１〜４のアルキルアミノ基のうち、好ましい炭素数の範囲を有するものとしてアミノＣ２−Ｃ４アルコキシＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルコキシＣ２−Ｃ３アルキルアミノ基が挙げられる。その具体例としては、アミノエトキシエトキシエチルアミノ、アミノエトキシプロポキシエチルアミノ、アミノエトキシブトキシエチルアミノ等の直鎖のもの；アミノエトキシ（２−メチルエトキシ）エチルアミノ、アミノエトキシ（２−メチルプロポキシ）エチルアミノ等の分岐鎖のもの；等が挙げられる。
【００６４】
式（Ｂｗ−１）中、Ｘにおけるキシリレンジアミノ基としては、例えば、ｏ−キシリレンジアミノ基、ｍ−キシリレンジアミノ基、ｐ−キシリレンジアミノ基が挙げられ、ｍ−キシリレンジアミノ基又はｐ−キシリレンジアミノ基が好ましい。
【００６５】
式（Ｂｗ−１）中、Ｘにおける、炭素数１〜４のアルキル基又は炭素数１〜４のアルコキシ基で置換されたピペラジン−１，４−ジイル基としては、ピペラジン環の環構成原子の任意の炭素原子に、これらの置換基を有するものが挙げられる。該置換基の数は、通常１又は２、好ましくは１である。また、置換基を複数有するとき、その種類としては同一でも異なっていてもよく、同一のものが好ましい。その具体例としては、２−メチルピペラジン−１，４−ジイル基、２−エチルピペラジン−１，４−ジイル基、２，５−ジメチルピペラジン−１，４−ジイル基、２，６−ジメチルピペラジン−１，４−ジイル基、２，５−ジエチルピペラジン−１，４−ジイル基、２−メチル−５−エチルピペラジン−１，４−ジイル基；等が挙げられる。
【００６６】
式（Ｂｗ−１）中、Ｘにおけるフェニレンジアミノ基としては、ｏ−、ｍ−、及びｐ−フェニレンジアミノ基が挙げられ、ｍ−又はｐ−フェニレンジアミノ基が好ましい。
【００６７】
以上のなかでも、Ｘは、Ｃ１−Ｃ８アルキレンジアミノ基；カルボキシ基で置換されたＣ１−Ｃ８アルキレンジアミノ基；アルキル部分がヒドロキシで置換されたＮ−炭素数１〜４のアルキル−Ｃ１−Ｃ６アルキレンジアミノ基；アミノ炭素数１〜４のアルコキシ炭素数１〜４のアルコキシ炭素数１〜４のアルキルアミノ基；キシリレンジアミノ基；又はピペラジン−１，４−ジイル基；であることが好ましい。これらの中でも、Ｘは、Ｃ１−Ｃ８アルキレンジアミノ基；キシリレンジアミノ基；又はピペラジン−１，４−ジイル基；であることがより好ましい。これらのうち、好ましい具体例としては、１，２−エチレンジアミノ：１，３−プロピレンジアミノ；１，４−ブチレンジアミノ；１−カルボキシペンチレン−１，５−ジアミノ；Ｎ−２−ヒドロキシエチル−エチレンジアミノ；アミノエトキシエトキシエチルアミノ；ｍ−キシリレンジアミノ；又は、ピペラジン−１，４−ジイル；が挙げられる。
【００６８】
式（Ｂｗ−１）中、置換位置が特定されていない４つのスルホ基の置換位置は、特に制限されない。１つのアゾ結合を有するベンゼン環に置換したスルホ基は、該アゾ結合の置換位置を１位として、２、３もしくは４位に置換してもよく、４位に置換することが好ましい。
【００６９】
式（Ｂｗ−１）で表される色材は、下記式（Ｂｗ−１−１）で表される化合物であることが好ましく、下記式（Ｂｗ−１−２）で表される化合物であることがより好ましい。
【００７０】
【化１４】
0006388253.tif 000017
（上記式（Ｂｗ−１−１）中、Ｒ21〜Ｒ28及びＸは、式（Ｂｗ−１）におけるものと同じ意味を表す。）
【化１５】
0006388253.tif 000018
（上記式（Ｂｗ−１−２）中、Ｒ21〜Ｒ28及びＸは、式（Ｂｗ−１）におけるものと同じ意味を表す。）
【００７１】
式（Ｂｗ−１）〜（Ｂｗ−１−２）におけるＲ21からＲ28、式（Ｂｗ−１）におけるＲ21〜Ｒ28の置換位置、ならびに式（Ｂｗ−１）及び式（Ｂｗ−１−１）における置換位置が特定されていないスルホの置換位置等について、好ましいもの同士を組み合わせた化合物はより好ましく、より好ましいもの同士を組み合わせたものはさらに好ましい。さらに好ましいもの同士、好ましいものとより好ましいものとの組み合わせ等についても同様である。
【００７２】
式（Ｂｗ−１）で表される化合物の塩は、無機又は有機の陽イオンの塩であることができる。無機塩としては、アルカリ金属塩、アルカリ土類金属塩、及びアンモニウム塩が挙げられる。これらの中でも好ましい無機塩は、リチウム、ナトリウム、カリウム等のアルカリ金属塩及びアンモニウム塩である。また、有機の陽イオンの塩としては、例えば、上記式（Ｂｋ−２）で示される４級アンモニウムイオンが挙げられるが、これに限定されるものではない。
【００７３】
また、式（Ｂｗ−１）で表される色材の遊離酸及びそれらの各種の塩は、混合物であってもよい。例えば、式（Ｂｗ−１）で表される色材のナトリウム塩と式（Ｂｗ−１）で表される色材のアンモニウム塩との混合物、式（Ｂｗ−１）で表される色材の遊離酸と式（Ｂｗ−１）で表される色材のナトリウム塩との混合物、式（Ｂｗ−１）で表される色材のリチウム塩、式（Ｂｗ−１）で表される色材のナトリウム塩及び式（Ｂｗ−１）で表される色材のアンモニウム塩の混合物等、いずれの組み合わせを用いてもよい。塩の種類によっては溶解性等の物性が異なる場合も有り、必要に応じて適宜塩の種類を選択したり、複数の塩などを含む場合にその比率を変化させたりすることにより、目的に合った物性を有する混合物を得ることができる。
【００７４】
式（Ｂｗ−１）で表される色材の好適な具体例として、特に限定されるものではないが、以下に示す構造式で表される化合物などが挙げられる。各表においてスルホ基及びカルボキシ基等の官能基は、便宜上、遊離酸の形で記載するものとする。
【００７５】
【化１６】
0006388253.tif 000019
【００７６】
【化１７】
0006388253.tif 000020
【００７７】
【化１８】
0006388253.tif 000021
【００７８】
【化１９】
0006388253.tif 000022
【００７９】
【化２０】
0006388253.tif 000023
【００８０】
【化２１】
0006388253.tif 000024
【００８１】
【化２２】
0006388253.tif 000025
【００８２】
【化２３】
0006388253.tif 000026
【００８３】
式（Ｂｗ−１）で表される色材の合成方法は、特に限定されないが、例えば、特開２０１２−１７２０３１号公報に記載された方法を用いることが得きる。
【００８４】
式（Ｂｗ−１）で表される色材の含有量は、インクの総量に対して、好ましくは０．０５０〜３．０質量％であり、より好ましくは０．１０〜２．０質量％であり、さらに好ましくは０．５０〜１．５質量％である。式（Ｂｗ−１）で表される色材の含有量が上記範囲内であることにより、目視にて優れた黒色を呈する傾向にある。
【００８５】
〔式（Ｙ−１）で表される染料（Ｙ−１）と式（Ｙ−２）で表される染料（Ｙ−２）〕
本実施形態のインク組成物は、下記式（Ｙ−１）及び下記式（Ｙ−２）で表される染料さらに含むことが好ましい。下記式（Ｙ−１）及び下記式（Ｙ−２）で表される染料（Ｙ−２）を含むことにより、着色力、耐光性、及び色相に優れる画像が得られる傾向にある。
【化２４】
0006388253.tif 000027
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【化２５】
0006388253.tif 000028
（式（Ｙ−２）中、Ｒ1は水素原子又は置換基を表し、Ｒ2は置換基を表し、Ｒ3はイオン性親水性基又は環を形成してもよいアルキル基を表し、ｎ４は０〜４であり、ｎ５は２〜５である。）
【００８６】
染料（Ｂｋ−１）と、染料（Ｂｗ−１）と、染料（Ｙ−１）と、染料（Ｙ−２）との含有量比率Ｂ（染料（Ｂｋ−１）：染料（Ｂｗ−１）：染料（Ｙ−１）：染料（Ｙ−２））は、好ましくは１００：２０：５：５〜１００：４０：１２：１２であり、より好ましくは１００：２０：５：５〜１００：３７．５：１２：１２であり、さらに好ましくは１００：２０：５：５〜１００：３５：７：７である。含有量比率Ｂが上記範囲内であることにより、色相がより向上する傾向にある。
【００８７】
（置換基群Ａ）
まず、置換基群Ａ、イオン性親水性基について定義する。
置換基群Ａとしては、特に限定されないが、例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、スルホンアミド基、イオン性親水性基が例として挙げられる。これらの置換基は更に置換されてもよく、更なる置換基としては、以上に説明した置換基群Ａから選択される基を挙げることができる。
【００８８】
更に詳しくは、ハロゲン原子としては、例えば、フッ素原子、塩素原子、臭素原子、又はヨウ素原子が挙げられる。
【００８９】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００９０】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００９１】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００９２】
アルキニル基としては、好ましくは、炭素数２から３０の置換又は無置換のアルキニル基、例えば、エチニル基、プロパルギル基、トリメチルシリルエチニル基等が挙げられる。
【００９３】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００９４】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。
【００９５】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００９６】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００９７】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００９８】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００９９】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【０１００】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【０１０１】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【０１０２】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【０１０３】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【０１０４】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【０１０５】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【０１０６】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【０１０７】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【０１０８】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【０１０９】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【０１１０】
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【０１１１】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【０１１２】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【０１１３】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【０１１４】
アルキル又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【０１１５】
アルキル又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【０１１６】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【０１１７】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【０１１８】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【０１１９】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【０１２０】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【０１２１】
イミド基としては、好ましくは、Ｎ−スクシンイミド基、Ｎ−フタルイミド基等が挙げられる。
【０１２２】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【０１２３】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【０１２４】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【０１２５】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【０１２６】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【０１２７】
（イオン性親水性基）
スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、リチウム塩又はリチウム塩を主成分とする混合塩が更に好ましく、リチウム塩が最も好ましい。
【０１２８】
〔式（Ｙ−１）で表される染料（Ｙ−１）〕
以下、式（Ｙ−１）で表されるアゾ染料（イエロー染料）について説明する。
【化２６】
0006388253.tif 000029
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【０１２９】
式（Ｙ−１）中、Ａｒ3で表される２価のヘテロ環基としては、５員又は６員環のものが好ましく、それらは更に縮環していてもよい。また、芳香族ヘテロ環であっても非芳香族ヘテロ環であってもよい。Ａｒ3で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じである。
【０１３０】
式（Ｙ−１）中、Ｒ4、Ｒ6及びＲ7で表される置換基は、前記置換基群Ａより選択される。
【０１３１】
式（Ｙ−１）中、Ｒ4はアルキル基、アルコキシ基、アリール基であることが好ましく、炭素原子数１〜４のアルキル基であることが好ましく、メチル基、エチル基、ターシャリーブチル基、フェニル基、メトキシ基、エトキシ基であることがより好ましく、ターシャリーブチル基であることが更に好ましい。
【０１３２】
式（Ｙ−１）中、Ｒ5は置換又は無置換のアミノ基であることが好ましく、Ｒ5は無置換のアミノ基であることがより好ましい。
【０１３３】
また、式（Ｙ−１）中、Ａｒ4は置換又は無置換のアリール基であることが好ましく、置換又は無置換のフェニル基であることが更に好ましい。
【０１３４】
式（Ｙ−１）中、Ｒ4、Ｒ5、Ａｒ4がさらに置換基を有する場合の置換基としては前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
【０１３５】
式（Ｙ−１）中、Ｘ3で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲA−（ＲAは水素原子、アルキル基又はアリール基）、−Ｓ−、−ＳＯ2−、−ＳＯ−又はこれらの組み合わせであることが好ましい。
【０１３６】
式（Ｙ−１）中、Ｘ3で表されるアルキレン基、アルケニレン基、アルキニレン基、アリーレン基、二価のヘテロ環基、ＲAで表されるアルキル基又はアリール基は、置換基を有していてもよい。置換基の例としては、前記置換基と同じである。ＲAで表されるアルキル基及びアリール基は、置換若しくは無置換の、アルキル基又はアリール基が含まれる。置換若しくは無置換のアルキル基としては、炭素原子数が１〜３０のアルキル基が好ましく、置換若しくは無置換のアリール基としては、炭素数６から３０のアリール基が好ましい。
【０１３７】
式（Ｙ−１）中、Ｘ3で表される二価の連結基において、更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｏ―、−Ｓ−又はこれらの組み合わせであり、アルキレン基、もしくは−Ｓ−、又はこれらの組み合わせであることが、更に好ましい。
【０１３８】
二価の連結基の総炭素数は０〜５０であることが好ましく、０〜３０であることがより好ましく、０〜１０であることが最も好ましい。
【０１３９】
式（Ｙ−１）中、Ａｒ4で表されるアリール基又はアリーレン基は、前述のＲAで表されるアリール基又はアリーレン基と同義であり好ましいものも同様である。また、Ａｒ4で表されるトリアジン基は１価の置換基を有していてもよい（１価の置換基は前述の置換基群Ａと同義であり好ましいものも同様である。）。
【０１４０】
式（Ｙ−１）で表される染料（Ｙ−１）としては、特に限定されないが、例えば、下記式（Ｙ−１−１）で表される化合物が好ましく、下記式（Ｙ−１−２）で表される化合物がより好ましい。
【０１４１】
【化２７】
0006388253.tif 000030
（式（Ｙ−１−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａ1はイオン性親水性基を表し、ｎ１は０〜２を表す。）
【０１４２】
式（Ｙ−１−１）中、Ｒ4、Ｒ5、Ａｒ3、ｎ０及びＸ3は、式（Ｙ−１）におけるＲ4、Ｒ5、Ａｒ3、ｎ０及びＸ3と同義であり好ましいものも同様である。
【０１４３】
式（Ｙ−１−１）中、Ａ1で表されるイオン性親水性基は、−ＳＯ3Ｍ又は−ＣＯ2Ｍが好ましく、−ＳＯ3Ｍがより好ましく、−ＣＯ2Ｋが特に好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【０１４４】
式（Ｙ−１−２）：
【化２８】
0006388253.tif 000031
（式（Ｙ−１−２）中、Ｒ20はアルキレン基、−Ｓ−、又はこれらの組み合わせからなる連結基を表し、Ｒ21はイオン性親水性基を表し、Ｒ11はアルキル基を表し、Ｒ12はアミノ基を表す。）
【０１４５】
式（Ｙ−１−２）中、Ｒ20は、式（Ｙ−１）のＸ3で表される二価の連結基におけるアルキレン基と同義であり好ましいものも同様である。
【０１４６】
式（Ｙ−１−２）中、Ｒ21はカルボキシル基（−ＣＯ2Ｍ）を表し、Ｍは各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【０１４７】
式（Ｙ−１−２）中、Ｒ11で表されるアルキル基及びＲ12で表されるアミノ基は、それぞれ、前記式（Ｙ−１）のＲ4、Ｒ5におけるアルキル基及びアミノ基と同義であり好ましいものも同様である。
【０１４８】
式（Ｙ−１）で表される化合物の具体例を以下に示すが、本実施形態に用いられる化合物は、下記の例に限定されるものではない。なお、具体例中、Ｅｔはエチルを、Ｐｈはフェニルを、それぞれ意味する。
【０１４９】
【化２９】
0006388253.tif 000032
【０１５０】
【化３０】
0006388253.tif 000033
【０１５１】
式（Ｙ−１）で表される化合物は、一般的な合成法で合成することが可能であり、例えば特開２００４−０８３９０３公報中に記載のジアゾ成分及びカップリング成分を変更、種々組み合わせることで合成することができる。
【０１５２】
式（Ｙ−１）で表される染料（Ｙ−１）の含有量は、ブラックインクの総量に対して、好ましくは０．０１０〜１．０質量％であり、より好ましくは０．０５０〜０．７５質量％であり、さらに好ましくは０．１０〜０．５０質量％である。式（Ｙ−１）で表される染料（Ｙ−１）の含有量が上記範囲内であることにより、着色力、耐光性、及び色相に優れる画像が得られる傾向にある。
【０１５３】
〔式（Ｙ−２）で表される染料（Ｙ−２）〕
以下、式（Ｙ−２）で表される染料（Ｙ−２）について説明する。
【化３１】
0006388253.tif 000034
（式（Ｙ−２）中、Ｒ1は水素原子又は置換基を表し、Ｒ2は置換基を表し、Ｒ3はイオン性親水性基又は環を形成してもよいアルキル基を表し、ｎ４は０〜４であり、ｎ５は２〜５である。）
【０１５４】
式（Ｙ−２）中、Ｒ1、及びＲ2で表される置換基としては、各々独立して、置換されていてもよいアルキル、置換されていてもよいアルコキシ、置換されていてもよいアリール、置換されていてもよい複素環式基、−ＮＲ8Ｒ9、−ＮＨＣＯＲ8、−ＮＨＣＯＮＲ8Ｒ9、−Ｃ（Ｏ）Ｒ8、−Ｃ（Ｏ）ＯＲ8、−Ｃ（Ｏ）ＮＲ8Ｒ9、−ＰＯ3Ｈ2、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられる。ここにおいて、Ｒ8及びＲ9は、各々独立して、Ｈ、置換されていてもよい炭素原子数１〜８のアルキル基、置換されていてもよいアリール基（例えばフェニル基）、置換されていてもよい複素環式基であるか、又はＲ8及びＲ9は、それらが結合している窒素原子と一緒に、置換されていてもよい五員環又は六員環（例えば、ピペリジン、ピロリドン、ピリジン、ピペリザイン（ｐｉｐｅｒｉｚｉｎｅ）又はモルホリン）を形成することができる。
【０１５５】
式（Ｙ−２）中、Ｒ3で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ｒ3で表されるイオン性親水性基は、スルホ基であることが好ましく、スルホ基のカリウム塩であることが更に好ましい。
【０１５６】
式（Ｙ−２）中、Ｒ3で表されるアルキル基としては、置換基を有していてもよく、炭素原子数１〜４のアルキル基であることが好ましく、ヒドロキシ、ハロゲン、カルボキシ又はスルホ基などで置換されていてもよいメチル、エチル、プロピル、イソプロピル、ブチル、ｓｅｃ−ブチルを挙げることができる。例としては、限定されるものではないが、トリフルオロメチル、ヒドロキシエチル、スルホプロピル及びカルボキシエチルが挙げられる。
【０１５７】
式（Ｙ−２）中、Ｒ3で表されるアルキル基が互いに結合して環を形成する場合の環としては置換されていてもよいアリール基又は置換されていてもよいヘテロ環基が挙げられ、該アリール基及びヘテロ環としては、前述の置換基群Ａにおけるアリール基及びヘテロ環基が挙げられ、互いに結合して形成する環としては、例えばベンゼン環、ナフタレン環が挙げられ、ベンゼン環であることが好ましい。
また、Ｒ3で表されるアルキル基が互いに結合して形成した環は、スルホン酸基で置換されていることが好ましい。
【０１５８】
式（Ｙ−２）中、Ｒ1、及びＲ2が、置換されていてもよいアルコキシである場合、それは、好ましくは置換されていてもよい炭素原子数１〜８のアルコキシ、より好ましくは炭素原子数１〜４のアルコキシ、例えば、ヒドロキシ、ハロゲン又はカルボキシ基で置換されていてもよいメトキシ、エトキシ、プロポキシ、イソプロポキシ、ブトキシである。例としては、限定されるものではないが、カルボキシプロピルオキシ、カルボキシエトキシ、ヒドロキシエトキシ又はクロロエトキシが挙げられる。
【０１５９】
式（Ｙ−２）中、Ｒ1、及びＲ2が、置換されていてもよいアリール基である場合、置換されていてもよいフェニルであることが好ましい。アリール環上の所望による置換基としては、例えば、炭素原子数１〜８のアルキル、炭素原子数１〜８のアルコキシ、−ＮＲ8Ｒ9、−ＮＨＣＯＲ8、−ＮＨＣＯＮＲ8Ｒ9、−Ｃ（Ｏ）Ｒ8、−Ｃ（Ｏ）ＯＲ8、−Ｃ（Ｏ）ＮＲ8Ｒ9、−ＰＯ3Ｈ2、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられ、ここにおいて、Ｒ8及びＲ9は先に記載したとおりである。例としては、限定されるものではないが、カルボキシフェニル、スルホフェニル、ニトロフェニル及びクロロフェニルが挙げられる。
【０１６０】
式（Ｙ−２）中、Ｒ1、及びＲ2が、置換されていてもよい複素環式基である場合、それは、好ましくは置換されていてもよい脂肪族複素環式基又は置換されていてもよい芳香族複素環式基のいずれか、例えば、置換されていてもよいチオフェン、ピラゾール、トリアゾール、チアジアゾール、チアゾール、イミダゾール、ピリジン、ピロリドン、ピペリザイン、モルホリン又はピリミジンである。複素環式環上の所望による置換基としては、例えば、炭素原子数１〜８のアルキル、−ＮＲ8Ｒ9、−ＮＨＣＯＲ8、−ＮＨＣＯＮＲ8Ｒ9、−Ｃ（Ｏ）ＯＲ8、−Ｃ（Ｏ）ＮＲ8Ｒ9、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられ、ここにおいて、Ｒ8及びＲ9は先に記載したとおりである。例としては、限定されるものではないが、カルボキシトリアゾール、クロロピリジル及びシアノチオフェンが挙げられる。
【０１６１】
式（Ｙ−２）中、Ｒ1、及びＲ2は、各々独立して、水素原子、ヒドロキシル基、置換されていてもよい炭素原子数１〜４のアルキル基（好ましくはメチル基又はエチル基）、置換されていてもよい炭素原子数１〜４のアルコキシ基（好ましくはメトキシ基又はエトキシ基）、−ＮＲ8Ｒ9−ＳＯ2ＮＲ8Ｒ9又は−ＮＨＣＯＮＲ8Ｒ9であり、ここにおいて、Ｒ8及びＲ9は上記のとおりであるが、より好ましくは、Ｒ8はＨであり、Ｒ9は、Ｈ、置換されていてもよい炭素原子数１〜４のアルキル基（好ましくはメチル基又はエチル基）又はアリール基（好ましくはフェニル基）である。
【０１６２】
式（Ｙ−２）中、Ｒ1、及びＲ2は、各々独立して、水素原子、ヒドロキシル基、炭素原子数１〜４のアルキル基、炭素原子数１〜４のアルコキシ基、カルボン酸基、−ＮＲ8Ｒ9又はＮＨＣＯＮＨ2であることが好ましい。
【０１６３】
式（Ｙ−２）中、Ｒ1は、より好ましくは、ヒドロキシル基、又は−ＮＲ8Ｒ9である。好ましくはＲ8はＨであり、Ｒ9は、Ｈ、置換されていてもよい炭素原子数１〜４のアルキル基（好ましくはメチル基又はエチル基）であり、より好ましくはＲ8はＨであり、Ｒ9はヒドロキシル基で置換された炭素原子数１〜４のアルキル基（好ましくはメチル基又はエチル基）である。
【０１６４】
式（Ｙ−２）中、Ｒ2は、より好ましくは、水素原子、炭素原子数１〜４のアルキル又はカルボン酸であり、更に好ましくは、特に良好な溶解度、耐光堅牢度及び耐オゾン堅牢度を有することからカルボン酸である。
【０１６５】
式（Ｙ−２）中、ｎ４は、０〜４であり、１〜４であることが好ましく、１〜２であることがより好ましい。
【０１６６】
式（Ｙ−２）中、ｎ５は、２〜５であり、２〜４であることが好ましく、２〜４であることがより好ましく、２〜３であることが更に好ましい。水性液体媒体中での式（Ｙ−２）の化合物の溶解度が改善されるためである。
【０１６７】
式（Ｙ−２）で表される染料（Ｙ−２）としては、特に限定されないが、例えば、下記式（Ｙ−２−１）で表される化合物又は下記式（Ｙ−２−２）で表される化合物が好ましい。
【化３２】
0006388253.tif 000035
（式（Ｙ−２−１）中、Ｒ1は水素原子又は置換基を表し、Ｒ2は置換基を表し、Ａ2はイオン性親水性基を表し、ｎ４は０〜４であり、ｎ２は２〜４を表す。）
【０１６８】
式（Ｙ−２−１）中、Ａ2で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ2で表されるイオン性親水性基は、スルホ基であることが好ましく、スルホ基のカリウム塩であることが更に好ましい。
【０１６９】
式（Ｙ−２−１）中、Ｒ1、及びＲ2は式（Ｙ−２）におけるＲ1、及びＲ2と同義であり好ましいものも同様である。
【０１７０】
式（Ｙ−２−１）中、ｎ４は０〜４であり、１〜４であることが好ましく、１〜２であることがより好ましい。ｎ２は２〜４であることが好ましく、２〜４であることがより好ましく、２〜３であることが更に好ましい。水性液体媒体中での式（Ｙ−２−１）の化合物の溶解度が改善されるためである。
【０１７１】
【化３３】
0006388253.tif 000036
（式（Ｙ−２−２）中、Ｒ1は水素原子又は置換基を表し、Ｒ2は置換基を表し、Ａ3はイオン性親水性基を表し、ｎ４は０〜４であり、ｎ３は２〜４を表す。）
【０１７２】
式（Ｙ−２−２）中、Ａ3で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ3で表されるイオン性親水性基は、スルホ基であることが好ましく、スルホ基のカリウム塩であることが更に好ましい。
【０１７３】
式（Ｙ−２−２）中、Ｒ1、及びＲ2は式（Ｙ−２）におけるＲ1、及びＲ2と同義であり好ましいものも同様である。
【０１７４】
式（Ｙ−２−２）中、ｎ４は０〜４であり、１〜４であることが好ましく、１〜２であることがより好ましい。
【０１７５】
式（Ｙ−２−２）中、ｎ３は２〜４であることが好ましく、２〜４であることがより好ましく、２〜３であることが更に好ましい。水性液体媒体中での式（Ｙ−２−２）の化合物の溶解度が改善されるためである。
【０１７６】
式（Ｙ−２−２）で表される化合物は、下記式（Ｙ−２−３）で表される化合物であることが更に好ましい。
【化３４】
0006388253.tif 000037
（式（Ｙ−２−３）中、Ｒ8はヒドロキシル基、又は−ＮＲ8Ｒ9を表し、Ｒ9は、各々独立して、水素原子、ヒドロキシル基、炭素原子数１〜４のアルキル基、炭素原子数１〜４のアルコキシ基、カルボン酸基、−ＮＲ8Ｒ9又はＮＨＣＯＮＨ2を表し、Ｒ8及びＲ9は、各々独立して、Ｈ、置換されていてもよい炭素原子数１〜８のアルキル基、置換されていてもよいアリール基（例えばフェニル基）、置換されていてもよい複素環式基であるか、又はＲ8及びＲ9は、それらが結合している窒素原子と一緒に、置換されていてもよい五員環又は六員環を形成することができ、Ｒ10は、各々独立して、カルボキシル基又はスルホ基を表す。）
【０１７７】
式（Ｙ−２−３）中、Ｒ8及びＲ9が形成する五員環又は六員環としては、例えば、ピペリジン、ピロリドン、ピリジン、ピペリザイン（ｐｉｐｅｒｉｚｉｎｅ）又はモルホリンが挙げられる。これらは置換基を有していてもよく、置換基の例としては、前記群Ａが挙げられる。Ｒ8で表されるアミノ基、Ｒ9で表されるアルキル基、アルコキシ基、スルホ基、アミノカルボニルアミノ基、及びＲ10で表されるスルホ基は、前述の群Ａにおけるアミノ基、アルキル基、アルコキシ基、スルホ基、アミノカルボニルアミノ基、スルホ基と同義であり好ましいものも同様である。
【０１７８】
式（Ｙ−２−３）中、Ｒ10は、スルホ基であることが好ましく、スルホ基のカリウム塩であることが更に好ましい。
【０１７９】
式（Ｙ−２）〜（Ｙ−２−３）で表される化合物は対称的又は非対称的であってもよい。次に本実施形態の上記式（Ｙ−２）で表される染料（Ｙ−２）の具体例を下記に示す。
【化３５】
0006388253.tif 000038
【０１８０】
【化３６】
0006388253.tif 000039
【０１８１】
【化３７】
0006388253.tif 000040
【０１８２】
式（Ｙ−２）で表される染料（Ｙ−２）は、一般的な合成法で合成することが可能であり、例えば特表２００８−５３７７５６号公報中に記載のジアゾ成分及びカップリング成分を変更、種々組み合わせることで合成することができる。
【０１８３】
式（Ｙ−２）で表される染料（Ｙ−２）の含有量は、ブラックインクの総量に対して、好ましくは０．０１０〜１．０質量％であり、より好ましくは０．０５０〜０．７５質量％であり、さらに好ましくは０．１０〜０．５０質量％である。式（Ｙ−２）で表される染料（Ｙ−２）の含有量が上記範囲内であることにより、着色力、耐光性、及び色相に優れる画像が得られる傾向にある。
【０１８４】
本実施形態の一態様として、染料の総含有量は、インク組成物の総量に対して、３．５質量％超過であり、好ましくは４．０〜７．５質量％であり、より好ましくは４．７〜６．５質量％であり、さらに好ましくは４．７〜６．０質量％である。染料の総含有量が上記範囲内であることにより、着色力、耐光性、及び色相に優れる画像が得られる傾向にある。
【０１８５】
また、本実施形態の別態様として、染料の総含有量は、インク組成物の総量に対して、０．５０〜１．５質量％であり、好ましくは０．６０〜１．４質量％であり、より好ましくは０．７０〜１．３質量％である。染料の総含有量が上記範囲内であることにより、着色力、耐光性、及び色相に優れる画像が得られる傾向にある。
【０１８６】
〔色材以外の成分〕
インクに含まれうる色材以外の成分について説明する。
【０１８７】
〔主鎖の炭素数が１２以上であるアセチレングリコールのアルキレンオキサイド付加物〕
本実施形態のインク組成物は、主鎖の炭素数が１２以上であるアセチレングリコールのアルキレンオキサイド付加物を含むことが好ましい。アセチレングリコールのアルキレンオキサイド付加物を含むことにより、色再現性、ブリードが抑制され画質がより向上する傾向にある。
【０１８８】
主鎖の炭素数が１２以上であるアセチレングリコールのアルキレンオキサイド付加物（以下、「アセチレングリコールＡ」ともいう。）は、アセチレングリコール系界面活性剤（ノニオン系界面活性剤）に含まれるものである。ノニオン系界面活性剤は、被記録媒体上でインクを均一に拡げる作用がある。そのため、ノニオン系界面活性剤を含むインクを用いてインクジェット記録を行った場合、滲みの少ない比較的高精細な画像が得られる。なお、本明細書における「主鎖」とは、ＩＵＰＡＣ命名法に基づく主鎖を意味する。
【０１８９】
特に、アセチレングリコールＡは、主鎖の炭素数が１２以上であることにより、インク流路を構成するゴムやプラスチック等の高分子部材及びインクにおける気泡発生の一因となり得る異物に対する濡れ性に優れる。そのため、アセチレングリコールＡを用いることにより、インクタンクからヘッドまでの高分子部材の流路面に、発生した気泡が残留することを抑制することができる。また、これにより、初期充填性が優れるとともに、残留した気泡の成長、及び流路面に付着していた気泡の離脱に起因するドット抜けを共に防止できることから、連続印刷安定性が良好となる。さらに、アセチレングリコールＡは、アルキレンオキサイド付加物であることによりインク中における溶解性が優れたものとなる。
【０１９０】
アセチレングリコールＡのＨＬＢ（Hydrophile - Lipophile Balance）値は、上記の濡れ性が一層優れたものとなるため、好ましくは４〜１５である。なお、ここでＨＬＢ値は、グリフィン法で定義されるＨＬＢ値とする。
【０１９１】
アセチレングリコールＡとしては、以下に限定されないが、例えば、下記式（１）で表される化合物が挙げられる。
【化３８】
0006388253.tif 000041
（上記式（１）中、Ｒ1、Ｒ1'、Ｒ2、及びＲ2'は互いに独立して炭素数１〜５のアルキル基を表し、主鎖の炭素数は１２以上であり、−ＯＲ3は−ＯＨ又は−Ｏ（Ｃ2Ｈ4Ｏ）mＨを表し、−ＯＲ3'は−ＯＨ又は−Ｏ（Ｃ2Ｈ4Ｏ）nＨを表す。その際、ｍ及びｎは互いに独立して０．５〜２５の小数を含む値であり、ｍ＋ｎは１〜４０の小数を含む値である（ただし、−ＯＲ3及び−ＯＲ3'が共に−ＯＨである場合を除く。）。）
【０１９２】
アセチレングリコールＡの具体例としては、特に限定されないが、例えば、２，５，８，１１−テトラメチル−６−ドデシン−５，８−ジオールのエトキシル化物及び５，８−ジメチル−６−ドデシン−５，８−ジオールのエトキシル化物が挙げられる。上記アセチレングリコールのアルキレンオキサイド付加物の中でもアセチレングリコールのエチレンオキサイド付加物及びアセチレングリコールのプロピレンオキサイド付加物が好ましく、アセチレングリコールのエチレンオキサイド付加物がより好ましい。
【０１９３】
アセチレングリコール中のアルキレンオキサイド単位の付加モル数は、Ｒ3及びＲ3'それぞれにおいて、好ましくは１〜２０モルである。また、当該付加モル数の総数（Ｒ3及びＲ3'の合計）は、好ましくは２〜４０モルである。アルキレンオキサイドの付加モル数の総数が４０モル以下であると、静的及び動的表面張力を小さくすることができ、インクの吸収性能が良好となる。
【０１９４】
アセチレングリコールＡの市販品としては、以下に限定されないが、例えば、オルフィンＥＸＰ４３００（日信化学工業社（Nissin Chemical Industry CO.,Ltd.）製商品名、炭素数１２、エチレンオキサイド付加物）が挙げられる。
【０１９５】
アセチレングリコールＡは、１種単独で用いてもよく、２種以上を組み合わせて用いてもよい。
【０１９６】
インクに含まれるアセチレングリコールＡの含有量は、インクの総量に対して、好ましくは０．０５０〜２．５質量％であり、より好ましくは０．１０〜２．０質量％であり、さらに好ましくは０．５０〜１．５質量％である。アセチレングリコールＡの含有量が０．０５０質量％以上であることにより、疎水面への濡れ性が上がり充填性がより向上する傾向にある。また、アセチレングリコールＡの含有量が２．５質量％以下であることにより、溶解安定性がより向上する傾向にある。
【０１９７】
〔ポリオキシアルキレンアルキルエーテル〕
インクは、ポリオキシアルキレンアルキルエーテルを含んでもよい。ポリオキシアルキレンアルキルエーテルを含むことにより、アセチレングリコールＡの溶解性、分散性がより向上する傾向にある。また、ポリオキシアルキレンアルキルエーテルは、アセチレングリコールＡの有する低い動的表面張力に影響を及ぼしにくい。
【０１９８】
ところで、インク連続供給システム（ＣＩＳＳ）は、疎水性の材料からなるインク流路やインクタンクが使用されることが多いため、インク連続供給システムに用いるインクセットにおいては、各インクが比較的疎水性の界面活性剤を使用することが効果的である。この観点から、アセチレングリコールＡを用いることが有効であるが、アセチレングリコールＡの効果を得つつ、さらに、溶解安定性、初期充填性、連続印刷安定性を向上させる観点から、特に、本実施形態のインクセットを、インク連続供給システム（ＣＩＳＳ）を備える記録装置に対して用いる場合には、インクがポリオキシアルキレンアルキルエーテルを含むことが好ましい。
【０１９９】
ここで、「インク供給システム」とは、空気導入口を有するインク収容容器（インクタンク）と、インク収容容器内の上記液体を吐出するノズルを有するプリントヘッドと、上記インク収容容器及び上記プリントヘッドを接続し、上記インク収容容器から上記プリントヘッドへ上記液体を供給するインク供給路と、を備えるものをいう。
【０２００】
また、「インク流路」とは、インクジェット記録装置において、インクを流通させるための流路をいう。インク流路としては、例えば、インクを貯留するインク収容容器からインクジェット式記録ヘッドにインクを供給するためのインク供給路や、インクジェット式記録ヘッド内においてインクをノズル開口部まで流通させるための流路が挙げられる。
【０２０１】
ポリオキシアルキレンアルキルエーテルのＨＬＢ値は、好ましくは１１〜１６であり、より好ましくは１２〜１５である。ポリオキシアルキレンアルキルエーテルのＨＬＢ値が上記範囲内であることにより、初期充填性及び連続印刷安定性がより向上する傾向にある。
【０２０２】
ポリオキシアルキレンアルキルエーテルとしては、以下に限定されないが、例えば、下記式（２）で表される化合物が挙げられる。このようなポリオキシアルキレンアルキルエーテルを用いることにより、保存安定性及び連続印刷安定性がより向上する傾向にある。
Ｒ6Ｏ（Ｃ2Ｈ4Ｏ）w（Ｃ3Ｈ6Ｏ）x（Ｃ2Ｈ4Ｏ）y（Ｃ3Ｈ6Ｏ）zＨ・・・（２）
（上記式（２）中、Ｒ6は、炭素数１〜２０のアルキル基を表し、好ましくは炭素数５〜１５のアルキル基を表し、より好ましくは炭素数１０〜１５のアルキル基を表す。また、ｗは１〜２０の値であり、ｘ、ｙ、及びｚは互いに独立して０又は１〜２０の値である。さらに、ｗ、ｘ、ｙ、及びｚは、５≦ｗ＋ｘ＋ｙ＋ｚ≦３０を満たし、好ましくは５≦ｗ＋ｘ＋ｙ＋ｚ≦２５を満たす。）
【０２０３】
ポリオキシアルキレンアルキルエーテルとしては、特に限定されないが、具体的には、
Ｃ12Ｈ25Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、
Ｃ13Ｈ27Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、
Ｃ12Ｈ25Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ13Ｈ27Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ12Ｈ25Ｏ（Ｃ2Ｈ4Ｏ）8（Ｃ3Ｈ6Ｏ）2（Ｃ2Ｈ4Ｏ）6Ｈ、
Ｃ13Ｈ27Ｏ（Ｃ2Ｈ4Ｏ）8（Ｃ3Ｈ6Ｏ）2（Ｃ2Ｈ4Ｏ）6Ｈ、
Ｃ12Ｈ25Ｏ（Ｃ2Ｈ4Ｏ）12（Ｃ3Ｈ6Ｏ）2（Ｃ2Ｈ4Ｏ）12Ｈ、
Ｃ13Ｈ27Ｏ（Ｃ2Ｈ4Ｏ）12（Ｃ3Ｈ6Ｏ）2（Ｃ2Ｈ4Ｏ）12Ｈ、
ＣＨ3（ＣＨ2）9（ＣＨ3）ＣＨＯ（Ｃ2Ｈ4Ｏ）7（Ｃ3Ｈ6Ｏ）4.5Ｈ、
ＣＨ3（ＣＨ2）11（ＣＨ3）ＣＨＯ（Ｃ2Ｈ4Ｏ）7（Ｃ3Ｈ6Ｏ）4.5Ｈ、
ＣＨ3（ＣＨ2）9（ＣＨ3）ＣＨＯ（Ｃ2Ｈ4Ｏ）5（Ｃ3Ｈ6Ｏ）3.5Ｈ、
ＣＨ3（ＣＨ2）11（ＣＨ3）ＣＨＯ（Ｃ2Ｈ4Ｏ）5（Ｃ3Ｈ6Ｏ）3.5Ｈ、
Ｃ14Ｈ29Ｏ（Ｃ2Ｈ4Ｏ）14（Ｃ3Ｈ6Ｏ）2Ｈ、
Ｃ11Ｈ23Ｏ（Ｃ2Ｈ4Ｏ）8Ｈ、
Ｃ10Ｈ21Ｏ（Ｃ2Ｈ4Ｏ）11Ｈ、及び
Ｃ12Ｈ25Ｏ（Ｃ2Ｈ4Ｏ）15Ｈが挙げられる。
【０２０４】
ポリオキシアルキレンアルキルエーテルの市販品としては、特に限定されないが、具体的には、
ノイゲンＤＬ−０４１５（Ｒ6Ｏ（Ｃ2Ｈ4Ｏ）W（Ｃ3Ｈ6Ｏ）x（Ｃ2Ｈ4Ｏ）y（Ｃ3Ｈ6Ｏ）zＨ、「Ｒ6」：炭素数１２，１３のアルキル、ｗ＋ｙ＝１５、ｘ＋ｚ＝４、ＨＬＢ値１５．０）、
ノイゲンＥＴ−１１６Ｂ（Ｒ6Ｏ（Ｃ2Ｈ4Ｏ）7（Ｃ3Ｈ6Ｏ）4.5Ｈ、「Ｒ6」：炭素数１２，１４のアルキル、ＨＬＢ値１２．０）、
ノイゲンＥＴ−１０６Ａ（Ｒ6Ｏ（Ｃ2Ｈ4Ｏ）5（Ｃ3Ｈ6Ｏ）3.5Ｈ、「Ｒ6」：炭素数１２，１４のアルキル、ＨＬＢ値１０．９）、
ノイゲンＤＨ−０３００（Ｒ6Ｏ（Ｃ2Ｈ4Ｏ）2Ｈ、「Ｒ6」：炭素数１４のアルキル、ＨＬＢ値４．０）、
ノイゲンＹＸ−４００（Ｒ6Ｏ（Ｃ2Ｈ4Ｏ）40Ｈ、「Ｒ6」：炭素数１２のアルキル、ＨＬＢ値１８．１）、
ノイゲンＥＡ−１６０（Ｃ9Ｈ19Ｃ6Ｈ4Ｏ（Ｃ2Ｈ4Ｏ）16.8Ｈ、ＨＬＢ値１５．４）（以上、第一工業製薬社製）、及び
エマルゲン１１０８（花王社製商品名、Ｒ6Ｏ（Ｃ2Ｈ4Ｏ）8Ｈ、「Ｒ6」：炭素数１１のアルキル、ＨＬＢ値１３．４）が挙げられる。
【０２０５】
ポリオキシアルキレンアルキルエーテルは、１種単独で用いてもよく、２種以上を組み合わせて用いてもよい。
【０２０６】
インクに含まれるポリオキシアルキレンアルキルエーテルの含有量は、インクの総量に対し、好ましくは０．１０〜１０質量％であり、より好ましくは０．５０〜７．５質量％であり、さらに好ましくは１．０〜５．０質量％である。ポリオキシアルキレンアルキルエーテルの含有量が上記範囲であることにより、保存安定性及び連続印刷安定性がより向上する傾向にある。
【０２０７】
また、ポリオキシアルキレンアルキルエーテルの含有量は、アセチレングリコールＡの含有量１質量部に対して、好ましくは１．０〜５．０であり、より好ましくは１．５〜３．０である。ポリオキシアルキレンアルキルエーテルの含有量が上記範囲内であることにより、アセチレングリコールＡが十分に可溶化し、水溶性が良好となる傾向にある。そのため、配合した際に凝集物が発生したりインクの吸収性にバラツキが発生したりすることを抑制できる傾向にある。
【０２０８】
〔上記以外の界面活性剤〕
本実施形態で用いるインクは、上記以外の界面活性剤を含んでもよい。当該界面活性剤としては、特に限定されないが、例えば、フッ素系界面活性剤及びシリコーン系界面活性剤のうち少なくともいずれかが好ましい。
【０２０９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【０２１０】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【０２１１】
〔溶剤〕
インクは、溶剤をさらに含んでもよい。溶剤としては、特に限定されないが、例えば、有機溶剤又は水を用いることができる。
【０２１２】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する傾向にある。
【０２１３】
有機溶剤の中でも、揮発性の水溶性有機溶剤がより好ましい。有機溶剤としては、特に限定されないが、具体的には、グリセリン、トリメチルグリシン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。
【０２１４】
溶剤は、１種単独で用いてもよく、２種以上を組み合わせて用いてもよい。有機溶剤の含有量は特に制限されず、必要に応じて適宜決定することができる。例えば、被記録媒体へのインクの浸透性や保湿性を優れたものとする場合には、グリセリン、トリメチルグリシン、トリエチレングリコールモノブチルエーテル、及び２−ピロリドンからなる群より選択される一種以上を用いることが好ましい。
【０２１５】
有機溶剤の含有量は、インクの総量に対して、好ましくは５〜２５質量％であり、より好ましくは７．５〜２０質量％であり、さらに好ましくは１０〜１５質量％である。
【０２１６】
上記の中でも、溶剤として、トリエチレングリコールモノブチルエーテルを含むことが好ましい。トリエチレングリコールモノブチルエーテルの含有量は、好ましくは２．０〜１５質量％であり、より好ましくは２．５〜１２．５質量％であり、さらに好ましくは３．０〜１０質量％である。トリエチレングリコールモノブチルエーテルの含有量が上記範囲内であることにより、メディアへの浸透性、溶解安定性がより向上する傾向にある。
【０２１７】
〔ｐＨ調整剤〕
本実施形態で用いるインクは、ｐＨ調整剤を含んでもよい。ｐＨ調整剤は、インクのｐＨ値の調整を容易にすることができる。ｐＨ調整剤としては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリプロパノールアミン）、有機酸（例えば、アジピン酸、クエン酸、コハク酸等）等が挙げられる。ｐＨ調整剤は、１種単独で用いてもよいし、２種以上混合して用いてもよい。
【０２１８】
〔その他の成分〕
本実施形態で用いるインクは、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【０２１９】
〔インクセット〕
本実施形態のインクセットは、上記インク組成物を備える。より具体的には、ブラックインク組成物と、ライトブラックインク組成物と、を備えることが好ましく、上記インク組成物において、染料の総含有量が３．５質量％超過であるインク組成物と、染料の総含有量が３．５質量％以下であるインク組成物と、を備えることが好ましい。
【０２２０】
〔ライトブラックインク〕
ライトブラックインクは、染料として、染料（Ｂｋ−１）、染料（Ｂｗ−１）、染料（Ｙ−１）、及び染料（Ｙ−２）からなる群より選ばれる少なくとも１種以上を含み、必要に応じて、溶剤、界面活性剤、ｐＨ調整剤を含んでもよい。ライトブラックインクに含まれうる各成分については、上記と同様のものを用いることができる。
【０２２１】
ライトブラックインク中の染料の総含有量は、好ましくは０．１０〜３．５質量％であり、より好ましくは０．２５〜３．０質量％であり、さらに好ましくは０．５０〜１．５質量％である。ライトブラックインク中の染料の総含有量が上記範囲内であることにより、得られる無彩色記録物の画質がより向上する傾向にある。
【０２２２】
ライトブラックインク中、染料（Ｂｋ−１）と、染料（Ｂｗ−１）との含有量比率Ａ（染料（Ｂｋ−１）：染料（Ｂｗ−１））は、１００：１８〜１００：４０であり、好ましくは１００：１８〜１００：３７．５であり、より好ましくは１００：１８〜１００：３５である。含有量比率Ａが上記範囲内であることにより、色相がより向上する。
【０２２３】
染料（Ｂｋ−１）と、染料（Ｂｗ−１）と、染料（Ｙ−１）と、染料（Ｙ−２）との含有量比率Ｂ（染料（Ｂｋ−１）：染料（Ｂｗ−１）：染料（Ｙ−１）：染料（Ｙ−２））は、好ましくは１００：２０：５：５〜１００：４０：１２：１２であり、より好ましくは１００：２０：５：５〜１００：３７．５：１２：１２であり、さらに好ましくは１００：２０：５：５〜１００：３５：７：７である。含有量比率Ｂが上記範囲内であることにより、色相がより向上する傾向にある。
【０２２４】
ライトブラックインクは、トリエチレングリコールモノブチルエーテルを含むことが好ましい。ライトブラックインク中、トリエチレングリコールモノブチルエーテルの含有量は、好ましくは２．０〜１５質量％であり、より好ましくは２．５〜１２．５質量％であり、さらに好ましくは３．０〜１０質量％である。トリエチレングリコールモノブチルエーテルの含有量が上記範  囲内であることにより、メディアへの浸透性、溶解安定性がより向上する傾向にある。
【実施例】
【０２２５】
以下、本発明を実施例及び比較例を用いてより具体的に説明する。本発明は、以下の実施例によって何ら限定されるものではない。
【０２２６】
［インク組成物用の材料］
下記の実施例及び比較例において使用したインク組成物用の主な材料は、以下の通りである。
〔色材〕
Ｙ−１      ：下記参照
Ｙ−２      ：下記参照
Ｙ−３      ：下記参照
Ｂｋ−１    ：下記参照
Ｂｋ−２    ：下記参照
Ｂｋ−３    ：下記参照
Ｂｗ−１    ：下記参照
【化３９】
0006388253.tif 000042
〔界面活性剤〕
日信化学工業社製、製品名オルフィンＥ１０１０（主鎖の炭素数が１２以上であるアセチレングリコールのアルキレンオキサイド付加物）
〔ポリオキシアルキレンアルキルエーテル〕
日本乳化剤社製、製品名ニューコール１００６
〔溶剤〕
グリセリン
２−ピロリドン
トリメチルグリシン
トリエチレングリコールモノブチルエーテル
〔ｐＨ調整剤〕
トリエタノールアミン
【０２２７】
［インク組成物の調製］
各材料を下記の表１及び２に示す組成で混合し、十分に撹拌し、各インク組成物を得た。なお、下記の表１及び２中、数値の単位は質量％であり、合計は１００．０質量％である。
【０２２８】
【表１】
0006388253.tif 000043
【０２２９】
【表２】
0006388253.tif 000044
【０２３０】
〔評価サンプルの作成条件〕
インクジェットプリンター（商品名「ＥＰ−８０１Ａ」、セイコーエプソン株式会社製）を使用し、さらに上記インクを用いて、写真用紙  光沢（商品名、型番「ＫＡ４１００ＰＳＫＲ」、セイコーエプソン株式会社製）にベタ画像を印刷することによって記録物を作成した。
【０２３１】
〔色相〕
上記作成条件により、ブラックインク組成物のみを用いて解像度７２０×７２０、Ｄｕｔｙ２５％のベタパターン画像の記録物を得た。得られた記録物の画像のａ＊、ｂ＊（ＣＩＥ（国際照明委員会）で規定されているＬ＊ａ＊ｂ＊表色系）を、分光光度計ｉ１（商品名、Ｘ−ｒｉｔｅ社製）を用いて測定した。得られたａ＊値及びｂ＊値に基づいて、下記評価基準により色相を評価した。
（評価基準）
Ａ：ａ＊値が−２以上２以下の範囲内にあり、かつ、ｂ＊値が−２以上２以下の範囲内にある。
Ｂ：ａ＊値及びｂ＊値がＡ，Ｃ以外の範囲内にある。
Ｃ：ａ＊値およびｂ＊値のすくなくとも一方が、−５以上５以下の範囲外にある。
【０２３２】
なお、「ｄｕｔｙ」とは、下式で算出される値であり、印字ｄｕｔｙないし印字率と換言することができる。
ｄｕｔｙ（％）＝実印字ドット数／（縦解像度×横解像度）×１００
（式中、「実印字ドット数」は単位面積当たりの実印字ドット数であり、「縦解像度」及び「横解像度」はそれぞれ単位面積当たりの解像度である。また、「ｄｕｔｙ１００％」とは単位画素当たりの単色の最大インク重量を意味する。）
【０２３３】
〔発色濃度〕
上記作成条件により、ブラックインク組成物を用いて解像度７２０×７２０、１００％Ｄｕｔｙのベタパターン画像の記録物を得た。また、上記作成条件により、ライトブラックインク組成物を用いて解像度７２０×７２０、実施例４のブラックインク組成物に対して１００％Ｄｕｔｙのベタパターン画像の記録物をそれぞれ得た。得られた記録物の画像のＯＤ値（光学濃度）を分光光度計ｉ１（商品名、Ｘ−ｒｉｔｅ社製）を用いて測定した。得られたＯＤ値に基づいて、下記評価基準により発色濃度を評価した。なお、
（評価基準）
Ａ：ＯＤ値が２．４以上である。
Ｂ：ＯＤ値が２．３５以上２．４未満である。
Ｃ：ＯＤ値が２．３５未満である。
【０２３４】
〔耐オゾン性〕
上記作成条件により、ブラックインク組成物のみを用いて解像度１４４０×１４４０、Ｄｕｔｙ１００％のベタパターン画像の記録物を得た。得られた記録物を室温下で暗所に１日静置した。その後、評価サンプルをオゾンウェザーメーターＯＭＳ−Ｌ型（商品名、スガ試験機株式会社製）に設置して、温度２３℃、相対湿度５０％ＲＨ、およびオゾン濃度５ｐｐｍの条件下で、４０時間オゾンによる暴露試験を行った。得られた記録物の画像の暴露前のＯＤ値（Ｄ０）と暴露後のＯＤ値（Ｄ）を分光光度計ｉ１（商品名、Ｘ−ｒｉｔｅ社製）を用いて測定し、次式により光学濃度残存率（ＲＯＤ）を求め、下記判定基準により、耐光性を評価した。
ＲＯＤ（％）＝（Ｄ／Ｄ０）×１００
（評価基準）
Ａ：ＲＯＤが７０％以上
Ｃ：ＲＯＤが７０％未満
【０２３５】
〔耐光性〕
上記作成条件により、ブラックインク組成物のみを用いて解像度１４４０×１４４０、Ｄｕｔｙ１００％のベタパターン画像の記録物を得た。得られた記録物を室温下で暗所に１日静置した。その後、記録物をＸｅｎｏｎ耐光性試験機ＸＬ−７５ｓ（商品名：（株）スガ試験機製）に設置して、２３℃相対湿度５０％ＲＨ、照度７５０００ｌｕｘの条件で、３０日間の暴露試験を行った。得られた記録物の画像の暴露前のＯＤ値（Ｄ０）と暴露後のＯＤ値（Ｄ）を分光光度計ｉ１（商品名、Ｘ−ｒｉｔｅ社製）を用いて測定し、次式により光学濃度残存率（ＲＯＤ）を求め、下記判定基準により、耐光性を評価した。
ＲＯＤ（％）＝（Ｄ／Ｄ０）×１００
（評価基準）
Ａ：ＲＯＤが７０％以上
Ｃ：ＲＯＤが７０％未満
【０２３６】
〔保存安定性〕
ブラックインク組成物をサンプル瓶に入れ、完全に密閉した。このサンプル瓶を７０℃で６日間保存した後、２０℃に戻したときの吸収スペクトルを測定した。保存安定性は、保存前の２０℃における最大吸収波長（λａ）と、保存後の２０℃における最大吸収波長（λｂ）と、の比率（残存率＝λｂ／λａ）を求めることにより評価した。吸収スペクトルの測定は、ＪＩＳ  Ｋ０１１５に準じて行った。具体的には、インク組成物をイオン交換水で１０００倍希釈して、測定セルとして石英セル（光路長１０ｍｍ）、測定装置として分光光度計（製品名「Ｕ−３０００」、日立製作所製）を用いて測定した。
【０２３７】
保存安定性の評価基準は、以下の通りである。なお、残存率が高いほど保存安定性に優れていることを示し、評価基準のうち「Ａ」および「Ｂ」が実用上許容される基準である。評価結果を表３０に併せて示す。
【０２３８】
Ａ：残存率が９５％以上である。
Ｂ：残存率が９０％以上９５％未満である。
Ｃ：残存率が９０％未満である。
【０２３９】
〔動的接触角〕
シリコンウェーハ上にブラックインク組成物を０．５μＬ滴下し、シリコンウェーハにインク組成物が付着した時点から１００ｍｓ後と、１００００ｍｓ後のインク組成物の接触核を測定した。ライトブラックインク組成物についても同様にして、動的接触角を測定した。なお、インクの測定と同じ動的表面張力の測定条件にて、イオン交換水を測定したところ、当該シリコンウエハーの値は、１００ｍｓｅｃで７７°、５１００ｍｓｅｃで７５°であった。動的接触角が小さいということは、付着対象への濡れ性が高いということを示す。したがって、例えばシリコンから構成されるヘッド内流路においてインク充填時に気泡が残らずに充填されるのでインクの吐出安定性が向上する。
【０２４０】
〔モノクロ印刷の粒状性〕
ブラックインク組成物及びライトブラックインク組成物（実施例４の組成）をインクセットとして用い、上記作成条件により、１０％、２０％、３０％、４０％、５０％、６０％、７０％、８０％、９０％、１００％Ｄｕｔｙで印刷を行った。得られた印刷物について、ＯＤ値の測色及び目視観察を行い、下記の基準にて粒状性を評価した。
（判定基準）
Ａ：Ｄｕｔｙ５０％でも画像のざらつきがない
Ｂ：Ｄｕｔｙ５０％だと画像のざらつきが認められるが、Ｄｕｔｙ２５％では画像のざらつきがない
Ｃ：Ｄｕｔｙ２５％でも画像のざらつきが認められる
【０２４１】
〔打ち込み限界量〕
ブラックインク組成物及びライトブラックインク組成物を、上記作成条件により、印刷物のＯＤ値が２付近になるＤｕｔｙで印刷を行った。得られた印刷物を目視確認し、下記の基準にてライトブラックインク組成物の打ち込み限界量を評価した。ブラックインク組成物は実施例４のものを使用した。
（判定基準）
Ａ：印刷物は滲みなく、メディアからインクが溢れていない。
Ｂ：印刷物に滲みが確認できるが、メディアからインクが溢れていない。
Ｃ：印刷物に滲みが確認でき、メディアからのインクが溢れている。
【０２４２】
〔初期充填性〕
ブラックインク組成物及びライトブラックインク組成物を、上記インクジェットプリンターのインクタンクに充填した。初期充填シーケンスに従い、ヘッドへの初期充填動作を行った。この後、ヘッドの全ノズルからインクが吐出できるかどうかを確認するため、ノズルチェックを実施した。インクが吐出できないノズルがある場合には、ヘッドのクリーニング（ノズル内のインクの吸引）を行い、その後再度ノズルチェックを実施した。全ノズルからインクが吐出できるまでに要したクリーニングの回数に基づき、以下の評価基準により初期充填性を評価した。
（評価基準）
Ａ：初期充填シーケンスのみで全ノズルから吐出する。
Ｂ：全ノズルからインクが吐出できるまでに要したクリーニング回数が１回である。
Ｃ：全ノズルからインクが吐出できるまでに要したクリーニング回数が２回以上である。